(57)【特許請求の範囲】
【請求項１】
複数の入力装置から送信されてくる、制御対象とされている電子機器を示す制御対象情報および制御の内容を表す制御情報を含む制御データを受信し、複数の電子機器のうちの、前記制御対象情報で示されるものに送信するとともに、
前記制御データを受信した前記電子機器から送信されてくる、その電子機器の状態を表す状態データを受信し、前記複数の入力装置のうちの、前記制御データを送信してきたものに送信する、
前記制御データおよび状態データの中継を行う中継装置であって、
前記入力装置からの前記制御データを受信する制御データ受信手段と、
前記制御データを前記電子機器に送信する制御データ送信手段と、
前記電子機器からの前記状態データを受信する状態データ受信手段と、
前記状態データを、前記入力装置に送信する状態データ送信手段と、
前記制御データ受信手段が受信した前記制御データに含まれる前記制御対象情報を抽出する抽出手段と、
前記制御対象情報に対応する電子機器の状態の変更が可能かどうかを判定する判定手段と、
前記判定手段の判定結果に基づいて、前記制御データ送信手段および状態データ送信手段を制御する制御手段と
を備え、
前記制御データには、前記制御情報として、前記電子機器の状態の変更を要求するための情報が配置された変更制御データと、前記電子機器の状態の参照を要求するための情報が配置された参照制御データとがあり、
前記制御手段は、
前記判定手段によって、前記制御対象情報に対応する電子機器の状態の変更が可能であると判定された場合、前記制御データ送信手段に、前記変更制御データおよび参照制御データのいずれも、前記制御対象情報に対応する電子機器に送信させるとともに、前記状態データ送信手段に、その電子機器から送信されてくる前記状態データを、前記制御データを送信してきた前記入力装置に送信させ、
前記判定手段によって、前記制御対象情報に対応する電子機器の状態の変更が可能でないと判定された場合、前記制御データ送信手段に、前記変更制御データまたは参照制御データのうちの、前記参照制御データだけを、前記制御対象情報に対応する電子機器に送信させるとともに、前記状態データ送信手段に、その電子機器から送信されてくる前記状態データを、前記制御データを送信してきた前記入力装置に送信させる
ことを特徴とする中継装置。
【請求項２】
前記電子機器は、AV（Audio Visual）機器である
ことを特徴とする請求項１に記載の中継装置。
【請求項３】
前記複数の入力装置それぞれによって、状態の変更が可能な電子機器を表す情報を記憶する記憶手段をさらに備え、
前記判定手段は、前記記憶手段の記憶内容と、前記制御対象情報とを比較することにより、その制御対象情報に対応する電子機器の状態の変更が可能かどうかを判定する
ことを特徴とする請求項１に記載の中継装置。
【請求項４】
前記記憶手段は、前記入力装置からの制御にしたがって、状態の変更が可能な電子機器を表す情報を記憶する
ことを特徴とする請求項３に記載の中継装置。
【請求項５】
前記制御手段は、前記判定手段において、前記制御データに含まれる前記制御対象情報に対応する電子機器の状態の変更が可能でないと判定された場合、その制御データを、そこに含まれる前記制御情報を前記電子機器の状態の参照を要求するための情報に変更することにより前記参照制御データにして、前記制御データ送信手段に、前記制御対象情報に対応する電子機器に送信させる
ことを特徴とする請求項１に記載の中継装置。
【請求項６】
複数の入力装置から送信されてくる、制御対象とされている電子機器を示す制御対象情報および制御の内容を表す制御情報を含む制御データを受信し、複数の電子機器のうちの、前記制御対象情報で示されるものに送信するとともに、
前記制御データを受信した前記電子機器から送信されてくる、その電子機器の状態を表す状態データを受信し、前記複数の入力装置のうちの、前記制御データを送信してきたものに送信する、
前記制御データおよび状態データの中継を行う中継方法において、
前記制御データに含まれる前記制御対象情報を抽出し、
その制御対象情報に対応する電子機器の状態の変更が可能かどうかを判定し、
その判定結果に基づいて、前記制御データおよび状態データの送信を制御する中継方法であって、
前記制御データには、前記制御情報として、前記電子機器の状態の変更を要求するための情報が配置された変更制御データと、前記電子機器の状態の参照を要求するための情報が配置された参照制御データとがあり、
前記制御対象情報に対応する電子機器の状態の変更が可能であると判定された場合には、前記変更制御データおよび参照制御データのいずれも、前記制御対象情報に対応する電子機器に送信させるとともに、その電子機器から送信されてくる前記状態データを、前記制御データを送信してきた前記入力装置に送信させ、
前記制御対象情報に対応する電子機器の状態の変更が可能でないと判定された場合には、前記変更制御データまたは参照制御データのうちの、前記参照制御データだけを、前記制御対象情報に対応する電子機器に送信させるとともに、その電子機器から送信されてくる前記状態データを、前記制御データを送信してきた前記入力装置に送信させる
ことを特徴とする中継方法。
【請求項７】
複数の電子機器を制御する制御システムにおいて、
制御対象とされている電子機器を示す制御対象情報および制御の内容を表す制御情報を含む制御データを送信する複数の入力装置と、
前記複数の入力装置から送信されてくる前記制御データを受信し、複数の電子機器のうちの、前記制御対象情報で示されるものに送信するとともに、前記制御データを受信した前記電子機器から送信されてくる、その電子機器の状態を表す状態データを受信し、前記複数の入力装置のうちの、前記制御データを送信してきたものに送信する、前記制御データおよび状態データの中継を行う中継装置と
を有する制御システムであって、
前記中継装置は、
前記入力装置からの前記制御データを受信する制御データ受信手段と、
前記制御データを前記電子機器に送信する制御データ送信手段と、
前記電子機器からの前記状態データを受信する状態データ受信手段と、
前記状態データを、前記入力装置に送信する状態データ送信手段と、
前記制御データ受信手段が受信した前記制御データに含まれる前記制御対象情報を抽出する抽出手段と、
前記制御対象情報に対応する電子機器の状態の変更が可能かどうかを判定する判定手段と、
前記判定手段の判定結果に基づいて、前記制御データ送信手段および状態データ送信手段を制御する制御手段と
を備え、
前記制御データには、前記制御情報として、前記電子機器の状態の変更を要求するための情報が配置された変更制御データと、前記電子機器の状態の参照を要求するための情報が配置された参照制御データとがあり、
前記制御手段は、
前記判定手段によって、前記制御対象情報に対応する電子機器の状態の変更が可能であると判定された場合、前記制御データ送信手段に、前記変更制御データおよび参照制御データのいずれも、前記制御対象情報に対応する電子機器に送信させるとともに、前記状態データ送信手段に、その電子機器から送信されてくる前記状態データを、前記制御データを送信してきた前記入力装置に送信させ、
前記判定手段によって、前記制御対象情報に対応する電子機器の状態の変更が可能でないと判定された場合、前記制御データ送信手段に、前記変更制御データまたは参照制御データのうちの、前記参照制御データだけを、前記制御対象情報に対応する電子機器に送信させるとともに、前記状態データ送信手段に、その電子機器から送信されてくる前記状態データを、前記制御データを送信してきた前記入力装置に送信させる
ことを特徴とする制御システム。
【請求項８】
前記電子機器は、AV機器である
ことを特徴とする請求項７に記載の中継装置。
【請求項９】
前記複数の入力装置それぞれによって、状態の変更が可能な電子機器を表す情報を記憶する記憶手段をさらに備え、
前記判定手段は、前記記憶手段の記憶内容と、前記制御対象情報とを比較することにより、その制御対象情報に対応する電子機器の状態の変更が可能かどうかを判定する
ことを特徴とする請求項７に記載の制御システム。
【請求項１０】
前記記憶手段は、前記入力装置からの制御にしたがって、状態の変更が可能な電子機器を表す情報を記憶する
ことを特徴とする請求項９に記載の制御システム。
【請求項１１】
前記制御手段は、前記判定手段において、前記制御データに含まれる前記制御対象情報に対応する電子機器の状態の変更が可能でないと判定された場合、その制御データを、そこに含まれる前記制御情報を前記電子機器の状態の参照を要求するための情報に変更することにより前記参照制御データにして、前記制御データ送信手段に、前記制御対象情報に対応する電子機器に送信させる
ことを特徴とする請求項７に記載の制御システム。
【請求項１２】
前記中継装置を複数有し、
その複数の中継装置それぞれは、少なくとも、自身以外の１つと接続されており、
前記複数の電子機器は、前記複数の中継装置のうちの、少なくとも１つに接続されている
ことを特徴とする請求項７に記載の制御システム。
【請求項１３】
前記入力装置は、前記中継装置から送信されてくる前記状態データを表示する表示手段を備える
ことを特徴とする請求項７に記載の制御システム。
【発明の詳細な説明】
【０００１】
【発明の属する技術分野】
本発明は、中継装置および中継方法、並びに制御システムに関し、特に、例えば、複数のＡＶ（Audio Visual）機器およびそのＡＶ機器を制御するための複数の入力装置が接続されているＡＶ処理システムにおいて、各入力装置に対するＡＶ機器の割り当てを容易に変更することができるようにする中継装置および中継方法、並びに制御システムに関する。
【０００２】
【従来の技術】
撮影スタジオなどで利用されている業務用のＡＶ処理システム（本明細書中において、システムとは、複数の装置が論理的に集合した物をいい、各構成の装置が同一筐体中にあるか否かは問わない）においては、各スタジオの複数のビデオカメラ（スタジオカメラ）の調整（アイリスの調整など）は、そのスタジオのコントロールルームに配置されているコントロールパネルなどを操作して行われる。
【０００３】
複数の撮影スタジオを有する施設におけるＡＶ処理システムにおいては、１つのコントロールパネルにおいて、すべてのスタジオのビデオカメラの調整または制御が行われることもある。
【０００４】
【発明が解決しようとする課題】
しかしながら、複数の撮影スタジオを有する施設において、１つのコントロールパネルで、すべてのスタジオのビデオカメラの調整を行う場合、コントロールパネルに各スタジオの各ビデオカメラに対応する操作部が配置されるため、コントロールパネルが非常に煩雑になり、操作性が悪いという問題を有している。
【０００５】
一方、各スタジオ毎にコントロールパネルを設けた場合には、例えば複数のスタジオを、その間の壁を取り除き、１つの大きなスタジオとして利用するとき、１つのスタジオの複数のビデオカメラを、元の複数のスタジオのコントロールルームで調整することになるので、１つのコントロールパネルで調整を行うことができず、やはり、操作性が悪いという問題を有している。
【０００６】
本発明は、このような状況に鑑みてなされたものであり、複数の電子機器と、その電子機器を制御するときに操作される複数の入力装置とを有するシステムにおいて、複数の入力装置それぞれに対する、状態の制御が可能な電子機器の割り当てを容易に変更することができるようにし、これにより、その操作性を向上させることができるようにするものである。
【０００７】
【課題を解決するための手段】
請求項１に記載の中継装置は、制御データ受信手段が受信した制御データに含まれる制御対象情報を抽出する抽出手段と、制御対象情報に対応する電子機器の状態の変更が可能かどうかを判定する判定手段と、判定手段の判定結果に基づいて、制御データ送信手段および状態データ送信手段を制御する制御手段とを備え、制御データには、制御情報として、電子機器の状態の変更を要求するための情報が配置された変更制御データと、電子機器の状態の参照を要求するための情報が配置された参照制御データとがあり、制御手段が、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させることを特徴とする。
【０００８】
請求項６に記載の中継方法は、制御データに含まれる制御対象情報を抽出し、その制御対象情報に対応する電子機器の状態の変更が可能かどうかを判定し、その判定結果に基づいて、制御データおよび状態データの送信を制御する中継方法であって、制御データには、制御情報として、電子機器の状態の変更を要求するための情報が配置された変更制御データと、電子機器の状態の参照を要求するための情報が配置された参照制御データとがあり、制御対象情報に対応する電子機器の状態の変更が可能であると判定された場合には、変更制御データおよび参照制御データのいずれも、制御対象情報に対応する電子機器に送信させるとともに、その電子機器から送信されてくる状態データを、制御データを送信してきた入力装置に送信させ、制御対象情報に対応する電子機器の状態の変更が可能でないと判定された場合には、変更制御データまたは参照制御データのうちの、参照制御データだけを、制御対象情報に対応する電子機器に送信させるとともに、その電子機器から送信されてくる状態データを、制御データを送信してきた入力装置に送信させることを特徴とする。
【０００９】
請求項７に記載の制御システムは、中継装置が、制御データ受信手段が受信した制御データに含まれる制御対象情報を抽出する抽出手段と、制御対象情報に対応する電子機器の状態の変更が可能かどうかを判定する判定手段と、判定手段の判定結果に基づいて、制御データ送信手段および状態データ送信手段を制御する制御手段とを備え、制御データには、制御情報として、電子機器の状態の変更を要求するための情報が配置された変更制御データと、電子機器の状態の参照を要求するための情報が配置された参照制御データとがあり、制御手段が、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させることを特徴とする。
【００１０】
請求項１に記載の中継装置においては、抽出手段は、制御データ受信手段が受信した制御データに含まれる制御対象情報を抽出し、判定手段は、制御対象情報に対応する電子機器の状態の変更が可能かどうかを判定するようになされている。制御手段は、判定手段の判定結果に基づいて、制御データ送信手段および状態データ送信手段を制御するようになされている。即ち、制御データには、制御情報として、電子機器の状態の変更を要求するための情報が配置された変更制御データと、電子機器の状態の参照を要求するための情報が配置された参照制御データとがあり、制御手段は、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させるようになされている。
【００１１】
請求項６に記載の中継方法においては、制御データに含まれる制御対象情報を抽出し、その制御対象情報に対応する電子機器の状態の変更が可能かどうかを判定し、その判定結果に基づいて、制御データおよび状態データの送信を制御するようになされている。即ち、制御データには、制御情報として、電子機器の状態の変更を要求するための情報が配置された変更制御データと、電子機器の状態の参照を要求するための情報が配置された参照制御データとがあり、制御対象情報に対応する電子機器の状態の変更が可能であると判定された場合には、変更制御データおよび参照制御データのいずれも、制御対象情報に対応する電子機器に送信させるとともに、その電子機器から送信されてくる状態データを、制御データを送信してきた入力装置に送信させ、制御対象情報に対応する電子機器の状態の変更が可能でないと判定された場合には、変更制御データまたは参照制御データのうちの、参照制御データだけを、制御対象情報に対応する電子機器に送信させるとともに、その電子機器から送信されてくる状態データを、制御データを送信してきた入力装置に送信させるようになされている。
【００１２】
請求項７に記載の制御システムにおいては、抽出手段は、制御データ受信手段が受信した制御データに含まれる制御対象情報を抽出し、判定手段は、制御対象情報に対応する電子機器の状態の変更が可能かどうかを判定するようになされている。制御手段は、判定手段の判定結果に基づいて、制御データ送信手段および状態データ送信手段を制御するようになされている。即ち、制御データには、制御情報として、電子機器の状態の変更を要求するための情報が配置された変更制御データと、電子機器の状態の参照を要求するための情報が配置された参照制御データとがあり、制御手段は、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させるようになされている。
【００１３】
【発明の実施の形態】
以下に、本発明の実施の形態を説明するが、その前に、特許請求の範囲に記載の発明の各手段と以下の実施の形態との対応関係を明らかにするために、各手段の後の括弧内に、対応する実施の形態（但し、一例）を付加して、本発明の特徴を記述すると、次のようになる。
【００１４】
即ち、請求項１に記載の中継装置は、複数の入力装置から送信されてくる、制御対象とされている電子機器を示す制御対象情報および制御の内容を表す制御情報を含む制御データを受信し、複数の電子機器のうちの、制御対象情報で示されるものに送信するとともに、制御データを受信した電子機器から送信されてくる、その電子機器の状態を表す状態データを受信し、複数の入力装置のうちの、制御データを送信してきたものに送信する、制御データおよび状態データの中継を行う中継装置であって、入力装置からの制御データを受信する制御データ受信手段（例えば、図６に示すマトリクススイッチ６１など）と、制御データを電子機器に送信する制御データ送信手段（例えば、図６に示すマトリクススイッチ６１など）と、電子機器からの状態データを受信する状態データ受信手段（例えば、図６に示すマトリクススイッチ６１など）と、状態データを、入力装置に送信する状態データ送信手段（例えば、図６に示すマトリクススイッチ６１など）と、制御データ受信手段が受信した制御データに含まれる制御対象情報を抽出する抽出手段（例えば、図６に示すＣＰＵ（Central Processing Unit）６２など）と、制御対象情報に対応する電子機器の状態の変更が可能かどうかを判定する判定手段（例えば、図６に示すＣＰＵ６２など）と、判定手段の判定結果に基づいて、制御データ送信手段および状態データ送信手段（例えば、図６に示すＣＰＵ６２など）を制御する制御手段とを備え、制御データには、制御情報として、電子機器の状態の変更を要求するための情報が配置された変更制御データと、電子機器の状態の参照を要求するための情報が配置された参照制御データとがあり、制御手段が、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させることを特徴とする。
【００１５】
請求項３に記載の中継装置は、複数の入力装置それぞれによって、状態の変更が可能な電子機器を表す情報を記憶する記憶手段（例えば、図６に示すメモリ（ＥＥＰＲＯＭ（Electrically Erasable Programmable ROM(Read Only Memory)））６３など）をさらに備え、判定手段が、記憶手段の記憶内容と、制御対象情報とを比較することにより、その制御対象情報に対応する電子機器の状態の変更が可能かどうかを判定することを特徴とする。
【００１６】
請求項７に記載の制御システムは、複数の電子機器（例えば、図１に示すＣＣＵ（Camera Control Unit）４−１乃至４−３および２４−１乃至２４−５や、ビデオカメラ５−１乃至５−３および２５−１乃至２５−５など）を制御する制御システムにおいて、制御対象とされている電子機器を示す制御対象情報および制御の内容を表す制御情報を含む制御データを送信する複数の入力装置（例えば、図１に示すＭＳＵ（Master Setup Unit）３および２３など）と、複数の入力装置から送信されてくる制御データを受信し、複数の電子機器のうちの、制御対象情報で示されるものに送信するとともに、制御データを受信した電子機器から送信されてくる、その電子機器の状態を表す状態データを受信し、複数の入力装置のうちの、制御データを送信してきたものに送信する、制御データおよび状態データの中継を行う中継装置（例えば、図１に示すＣＮＵ（Camera command Network Unit）１や２１など）とを有する制御システムであって、中継装置が、入力装置からの制御データを受信する制御データ受信手段（例えば、図６に示すマトリクススイッチ６１など）と、制御データを電子機器に送信する制御データ送信手段（例えば、図６に示すマトリクススイッチ６１など）と、電子機器からの状態データを受信する状態データ受信手段（例えば、図６に示すマトリクススイッチ６１など）と、状態データを、入力装置に送信する状態データ送信手段（例えば、図６に示すマトリクススイッチ６１など）と、制御データ受信手段が受信した制御データに含まれる制御対象情報を抽出する抽出手段（例えば、図６に示すＣＰＵ６２など）と、制御対象情報に対応する電子機器の状態の変更が可能かどうかを判定する判定手段（例えば、図６に示すＣＰＵ６２など）と、判定手段の判定結果に基づいて、制御データ送信手段および状態データ送信手段を制御する制御手段（例えば、図６に示すＣＰＵ６２など）とを備え、制御データには、制御情報として、電子機器の状態の変更を要求するための情報が配置された変更制御データと、電子機器の状態の参照を要求するための情報が配置された参照制御データとがあり、制御手段が、判定手段によって、制御対象情報に対応する電子機器の状態の変更が可能であると判定された場合、制御データ送信手段に、変更制御データおよび参照制御データのいずれも、制御対象情報に対応する電子機器に送信させるとともに、状態データ送信手段に、その電子機器から送信されてくる状態データを、制御データを送信してきた入力装置に送信させ、判定手段によって、制御対象情報に対応する電子機器の状態の変更が可能でないと判定された場合、制御データ送信手段に、変更制御データまたは参照制御データのうちの、参照制御データだけを、制御対象情報に対応する電子機器に送信させるとともに、状態データ送信手段に、その電子機器から送信されてくる状態データを、制御データを送信してきた入力装置に送信させることを特徴とする。
【００１７】
請求項９に記載の制御システムは、複数の入力装置それぞれによって、状態の変更が可能な電子機器を表す情報を記憶する記憶手段（例えば、図６に示すメモリ（ＥＥＰＲＯＭ）６３など）をさらに備え、判定手段は、記憶手段の記憶内容と、制御対象情報とを比較することにより、その制御対象情報に対応する電子機器の状態の変更が可能かどうかを判定することを特徴とする。
【００１８】
請求項１３に記載の制御システムは、入力装置が、中継装置から送信されてくる状態データを表示する表示手段（例えば、図２に示すアイリス表示部４４−６や、マスタブラック表示部４４−８など）を備えることを特徴とする。
【００１９】
なお、勿論この記載は、各手段を上記したものに限定することを意味するものではない。
【００２０】
図１は、本発明を適用した放送業務用のＡＶ処理システムの第１実施の形態の構成例を示している。
【００２１】
図１では、ＡＶ処理システムが、２つの撮影スタジオ（スタジオＡおよびスタジオＢ）の中に構成されている。
【００２２】
一方のスタジオＡにおいて、カメラコマンドネットワークユニット（ＣＮＵ）１は、着脱可能な拡張ボード１０を有している。そして、ＣＮＵ１は、その拡張ボード１０の各端子を介して、リモートコントロールパネル（ＲＣＰ）２−１乃至２−３、マスタセットアップユニット（ＭＳＵ）３などの入力装置や、カメラコントロールユニット（ＣＣＵ）４−１乃至４−３などのＡＶ機器（電子機器）に接続され、これらの入力装置とＡＶ機器との間でやりとりされる制御データおよび状態データの中継を行うようになされている。
【００２３】
ここで、制御データは、ＡＶ機器（ここでは、上述のＣＣＵ４−１乃至４−３や、後述するビデオカメラ５−１乃至５−３など）を制御するためのデータで、入力装置（ここでは、ＭＳＵ３など）から出力される。また、状態データは、ＡＶ機器の状態（例えば、ＣＣＵにおけるカラーコレクト、コントラスト、サチュレーションの調整量や、ビデオカメラにおけるアイリス、ホワイトレベル、ブラックレベルの調整量など）を表すデータで、ＡＶ機器から出力される。
【００２４】
ＣＮＵ１は、ＡＵＸ（オグジュアリ）１端子を介してスタジオＢのＣＮＵ２１にも接続されている。そして、ＣＮＵ１は、ＭＳＵ３による設定（後述）において許可されている場合、ＣＮＵ２１に接続されているＡＶ機器に対する制御データを、ＣＮＵ２１に出力（送信）するとともに、そのＡＶ機器から、ＣＮＵ２１を介して送信されてくる状態データを、ＭＳＵ３に出力するような中継も行うようにもなされている。
【００２５】
ＲＣＰ２−１乃至２−３は、主に撮影時において、ＣＣＵ４−１乃至４−３や、ビデオカメラ５−１乃至５−３についての調整を行うときにそれぞれ操作され、その操作に対応する制御データを、ＣＮＵ１に出力するようになされている。即ち、ＲＣＰ２−１乃至２−３は、例えば、ビデオカメラ５−１乃至５−３におけるアイリスや、マスタブラックレベル、ＲＧＢホワイトレベルなどの簡単な手順で調整可能なものを変更するときに操作される。
【００２６】
ＭＳＵ３は、主にメンテナンス時において、ＲＣＰ２−１乃至２−３における場合よりも複雑な調整を、ＣＣＵ４−１乃至４−３や、ビデオカメラ５−１乃至５−３に対して行うときに操作され、その操作に対応する制御データを、ＣＮＵ１に出力するようになされている。即ち、ＭＳＵ３は、例えば、ビデオカメラ５−１乃至５−３におけるシェーディングの制御のためのパラメータや、ＣＣＵ４−１乃至４−３におけるカラーコレクト、コントラスト、サチュレーションの制御のためのパラメータなど、複雑な手順で調整がなされるものを変更するときに操作される。
【００２７】
なお、ＲＣＰ２−１乃至２−３は、ＭＳＵ３の機能の一部だけを持たせて、いわばＭＳＵ３をコンパクトに構成したものであり、従って、逆にいえば、ＭＳＵ３は、ＲＣＰ２−１乃至２−３が有する機能をすべて備えている。よって、極端には、ＭＳＵ３があれば、ＲＣＰ２−１乃至２−３はなくてもかまわない。但し、ＭＳＵ３では、調整の対象とするＡＶ機器を選択してから、その調整を行う必要があり、例えば、ビデオカメラ５−１乃至５−３を、同時に調整することはできない。従って、例えば、撮影時において、ビデオカメラ５−１乃至５−３のアイリスを同時に変更するようなことができなくなる。そこで、ビデオカメラ５−１乃至５−３（あるいは、ＣＣＵ４−１乃至４−３）の調整を同時に行うことができるように、図１では、３台のビデオカメラ５−１乃至５−３に対して、それぞれの調整を行うための３台のＲＣＰ２−１乃至２−３が設けられている。
【００２８】
ここで、ＲＣＰ２−１乃至２−３のうちのいずれを、ビデオカメラ５−１乃至５−３（ＣＣＵ４−１乃至４−３）のうちのいずれに割り当てるかは、自由に設定することができるようになされている。
【００２９】
ＣＣＵ４−１乃至４−３は、ビデオカメラ５−１乃至５−３が出力するビデオ信号を処理して、ビデオカメラセレクタ（ＶＣＳ）７−２および他方のスタジオＢのＶＣＳ２７−２に出力するようになされている。また、ＣＣＵ４−１乃至４−３は、ＣＮＵ１から制御データを受信した場合には、その制御データに対応する処理を行うようになされている。
【００３０】
ビデオカメラ５−１乃至５−３は、被写体を撮影し、その結果得られるビデオ信号を、ＣＣＵ４−１乃至４−３にそれぞれ供給するようになされている。また、ビデオカメラ５−１乃至５−３は、ＣＮＵ１からＣＣＵ４−１乃至４−３を介して、制御データを受信した場合には、その制御データに対応する処理を行うようになされている。
【００３１】
モニタ６は、ＣＮＵ１に接続され、後述する各種の設定を行うための画面などを表示するようになされている。
【００３２】
ＶＣＳ７−１には、スタジオＢに設けられたビデオカメラ２５−１乃至２５−５（電子機器）からのビデオ信号が、やはりスタジオＢに設けられたＣＣＵ２４−１乃至２４−５（電子機器）それぞれを介して供給されるようになされている。そして、ＶＣＳ７−１は、ＣＮＵ１からの制御に対応して、スタジオＢのＣＣＵ２４−１乃至２４−５より供給されるビデオ信号のうちのいずれか１つを選択し、ＶＣＳ７−２に出力するようになされている。ＶＣＳ７−２には、ＶＣＳ７−１の出力（ビデオ信号）の他、ビデオカメラ５−１乃至５−３からのビデオ信号が、ＣＣＵ４−１乃至４−３それぞれを介して供給されるようになされている。そして、ＶＣＳ７−２も、ＣＮＵ１からの制御に対応して、ＣＣＵ４−１乃至４−３より供給されるビデオ信号、またはＶＣＳ７−１より供給されるビデオ信号のうちのいずれか１つを選択し、ピクチャモニタ８および波形モニタ９に出力するようになされている。なお、ＶＣＳ７−１および７−２は、例えば、いずれも６入力を有し、従って、最大で、６系統のビデオ信号を入力することが可能とされている。
【００３３】
ピクチャモニタ８は、ＶＣＳ７−２より供給されるビデオ信号に対応する映像を表示するようになされている。波形モニタ９は、ＶＣＳ７−２より供給されるビデオ信号の波形を表示するようになされている。
【００３４】
スタジオＢにおけるＡＶ処理システムは、スタジオＡにおけるＡＶ処理システムを構成するＣＮＵ１乃至拡張ボード１０と同様に構成されるＣＮＵ２１乃至拡張ボード３０で構成されている。
【００３５】
但し、スタジオＡでは、３台のビデオカメラ５−１乃至５−３が設けられているが、スタジオＢでは、５台のビデオカメラ２５−１乃至２５−５が設けられており、これに対応して、やはり５台ずつのＣＣＵ２４−１乃至２４−５およびＲＣＰ２２−１乃至２２−５が設けられている。
【００３６】
また、ＶＣＳ２７−１には、ビデオカメラ２５−１乃至２５−５からのビデオ信号が、ＣＣＵ２４−１乃至２４−５それぞれを介して供給されるようになされており、ＶＣＳ２７−１は、ＣＮＵ２１からの制御に対応して、その５つのビデオ信号のうちのいずれか１つを選択し、ＶＣＳ２７−２に出力するようになされている。さらに、ＶＣＳ２７−２には、ＶＣＳ２７−１の出力（ビデオ信号）の他、スタジオＡに設けられた３台のビデオカメラ５−１乃至５−３からのビデオ信号が、ＣＣＵ４−１乃至４−３それぞれを介して供給されるようになされており、ＶＣＳ２７−２は、ＣＮＵ２１からの制御に対応して、その４つのビデオ信号のうちのいずれか１つを選択し、ピクチャモニタ２８および波形モニタ２９に出力するようになされている。
【００３７】
次に、図２は、図１のＭＳＵ３の外観構成例を、図３は、その電気的構成例を、それぞれ示している。なお、ＭＳＵ２３（入力装置）も同様に構成される。
【００３８】
図２は、ＭＳＵ３の正面パネルを示しており、そこには、モニタ４２、そのモニタ４２上に配置された透明なタッチパネル４３、および各種のボタンやつまみ、さらにはそれらを操作することにより変化するＡＶ機器の状態を表示する表示部などで構成される操作部４４が設けられている。
【００３９】
モニタ４２には、制御回路４５（図３）の制御にしたがって、後述するようなメニュー画面やボタンなどが表示される。タッチパネル４３は、その表面が押圧された場合に、その押圧された位置に対応する信号を、制御回路４５に出力するようになされており、これにより、押圧されたタッチパネル４３の位置に対応するモニタ４２の表示部分を、ボタンとして機能させるようになされている。操作部４４は、例えば、パラボタン４４−１、アクティブボタン４４−２、カメラセレクトボタン４４−３、カメラ表示部４４−４、アイリスコントロールつまみ４４−５、アイリス表示部４４−６、マスタブラックコントロールつまみ４４−７、マスタブラック表示部４４−８、ホワイトコントロールつまみ４４−９、ブラックコントロールつまみ４４−１０、その他の各種のボタン、つまみ、表示部で構成されている。
【００４０】
パラボタン４４−１は、例えば、いま、ＣＣＵ４−１およびビデオカメラ５−１に、ＲＣＰ２−１が割り当てられているとして、そのＣＣＵ４−１およびビデオカメラ５−１の調整を、ＲＣＰ２−１とＭＳＵ３との両方で行うことができるようにするパラモード（paraモード）とするときに操作される。なお、paraボタン４４−１が一度操作されると、パラモードとなり、もう一度操作されると、パラモードは解除されるようになされている。パラモードが解除された状態では、ＲＣＰ２−１またはＭＳＵ３のうちの、例えば、後に操作された方が有効となる。
【００４１】
アクティブボタン４４−２は、例えば、ＣＣＵ４−１およびビデオカメラ５−１の調整などを、ＭＳＵ３によって行う場合に操作される。即ち、アクティブボタン４４−２を操作することにより、いわば、調整などを行う権利を獲得することができる。
【００４２】
カメラセレクトボタン４４−３は、調整などの対象とするビデオカメラを選択するときに操作される（ビデオカメラは、ＣＣＵと対になっており、従って、ビデオカメラを選択することは、それと対になっているＣＣＵも選択することになる）。カメラセレクトボタン４４−３を操作することによって、例えば、ビデオカメラ５−１（およびＣＣＵ４−１）が選択されている場合に、アクティブボタン４４−２が操作されると、ＭＳＵ３から、その選択されているビデオカメラ５−１（およびＣＣＵ４−１）の調整などを行うことが可能な状態となる。
【００４３】
カメラ表示部４４−４には、カメラセレクトボタン４４−３を操作することによって選択されているビデオカメラに対応付けられている番号が表示される。
【００４４】
アイリスコントロールつまみ４４−５は、カメラセレクトボタン４４−３を操作することによって選択されているビデオカメラのアイリスの調整を行う場合に操作される。アイリス表示部４４−６には、カメラセレクトボタン４４−３を操作することによって選択されているビデオカメラのアイリスの調整値が表示される。
【００４５】
マスタブロックコントロールつまみ４４−７は、カメラセレクトボタン４４−３を操作することによって選択されているビデオカメラのマスタブラックの調整を行う場合に操作される。マスタブラック表示部４４−８には、カメラセレクトボタン４４−３を操作することによって選択されているビデオカメラのマスタブラックの調整値が表示される。
【００４６】
ホワイトコントロールつまみ４４−９は、カメラセレクトボタン４４−３を操作することによって選択されているビデオカメラのホワイトレベルの調整を行う場合に操作される。ブラックコントロールつまみ４４−９は、カメラセレクトボタン４４−３を操作することによって選択されているビデオカメラのブラックレベルの調整を行う場合に操作される。
【００４７】
制御回路４５（図３）は、上述したように、モニタ４２における表示を制御する他、タッチパネル４３からの信号に対応して、ＣＮＵ１に接続されているモニタ６の表示を制御するようにもなされている。さらに、制御回路４５は、操作部４４が操作されることにより供給される操作信号に対応して、制御データを構成してＣＮＵ１に送信したり、カメラ表示部４４−４の表示を変更させたりするようにもなされている。また、制御回路４５は、ＣＮＵ１から送信されてくる、例えば、上述したビデオカメラのアイリスやマスタブラックなどの調整値についての状態データを受信した場合に、そのアイリスやマスタブラックなどの調整値を、操作部４４に供給して、アイリス表示部４４−６やマスタブラック表示部４４−８などに表示させるようにもなされている。
【００４８】
次に、図４は、図１のＲＣＰ２−１の外観構成例を示している。なお、ＲＣＰ２−２，２−３，２２−１乃至２２−５も同様に構成されている。
【００４９】
図４は、ＲＣＰ２−１の正面パネルを示しており、そこには、アクティブボタン３１−２、カメラ表示部３１−４、アイリスコントロールつまみ３１−５、マスタブラックコントロールつまみ３１−７、ホワイトコントロールつまみ３１−９、ブラックコントロールつまみ３１−１０などが設けられている。
【００５０】
即ち、上述したように、ＲＣＰ２−１は、ＭＳＵ３の機能の一部だけを有するものであり、ＭＳＵ３（図２）の構成要素の一部である、例えば、アクティブボタン４４−２、カメラ表示部４４−４、アイリスコントロールつまみ４４−５、マスタブラックコントロールつまみ４４−７、ホワイトコントロールつまみ４４−９、ブラックコントロールつまみ４４−１０とそれぞれ同様の機能を有するアクティブボタン３１−２、カメラ表示部３１−４、アイリスコントロールつまみ３１−５、マスタブラックコントロールつまみ３１−７、ホワイトコントロールつまみ３１−９、ブラックコントロールつまみ３１−１０などから構成されている。
【００５１】
次に、図５は、図１のＣＮＵ１の外観構成例を示している。なお、ＣＮＵ２１も同様に構成される。
【００５２】
同図（Ａ）または（Ｂ）は、ＣＮＵ１の正面パネルまたは背面パネルをそれぞれ示している。
【００５３】
ＣＮＵ１の正面パネル（図５（Ａ））には、ＣＮＵ１の電源をオン／オフするときに操作される電源スイッチ３５が設けられている。
【００５４】
一方、背面パネル（図５（Ｂ））には、拡張ボード１０を装着可能なスロットが２つ設けられている。図５（Ｂ）の実施の形態においては、その２つのスロットのうちの上段に、拡張ボード１０が装着されている。また、下段のスロットは、ここでは使用されておらず、その保護のために、パネル３７が設けられている。従って、パネル３７を取りはずすことで、下段のスロットには、拡張ボート１０と同様に構成される拡張ボードを装着することができる。
【００５５】
拡張ボード１０には、ＣＣＵとの間でデータ（信号）をやりとりするための６つのＣＣＵ端子７０−１乃至７０−６，ＲＣＰとの間でデータをやりとりするための６つのＲＣＰ端子７０−７乃至７０−１２，ＭＳＵとの間でデータをやりとりするためのＭＳＵ端子７０−１３，ＶＣＳとの間でデータをやりとりするためのＶＣＳ端子７０−１４、並びに、２つのＡＵＸ端子７０−１５および７０−１６が設けられている。
【００５６】
例えば、図１のスタジオＡにおいて、ＣＣＵ４−１乃至４−３はＣＣＵ端子７０−１乃至７０−３に、ＲＣＰ２−１乃至２−３はＲＣＰ端子７０−７乃至７０−９に、ＭＳＵ３はＭＳＵ端子７０−１３に、ＶＣＳ７−２はＶＣＳ端子７０−１４に、ＣＮＵ２１はＡＵＸ端子７０−１５に、ＶＣＳ７−１はＡＵＸ端子７０−１６に、それぞれ接続されている。
【００５７】
なお、拡張ボード１０を装着する２つのスロットの下部には、リファレンス端子３６−１、キャラクタ端子３６−２、ＲＳ２３２Ｃ端子３６−３、および電源入力端子３６−４が設けられている。リファレンス端子３６−１には、他の機器との同期をとるための同期信号（リファレンス信号）が入力される。キャラクタ端子３６−２からは、後述するような画面（図１１乃至図１３に示す画面など）に対応するビデオ信号が出力される。なお、図１のスタジオＡにおいて、キャラクタ端子３６−２は、モニタ６に接続されている。ＲＳ２３２Ｃ端子３６−３は、ＣＮＵ１をコンピュータから制御する場合などに、そのコンピュータと通信するためのＲＳ２３２Ｃケーブルと接続される。電源端子３６−４には、電源となる交流電圧を供給するための電源ケーブルが接続される。
【００５８】
図６は、ＣＮＵ１の電気的構成例を示している。
【００５９】
マトリクススイッチ６１は、例えば、ＣＣＵ入力端子７２−１乃至７２−６、ＲＣＰ入力端子７２−７乃至７２−１２、ＭＳＵ入力端子７２−１３、ＶＣＳ入力端子７２−１４、ＡＵＸ１入力端子７２−１５、およびＡＵＸ２入力端子７２−１６からなる１６個の入力端子、並びにＣＣＵ出力端子７３−１乃至７３−６、ＲＣＰ出力端子７３−７乃至７３−１２、ＭＳＵ出力端子７３−１３、ＶＣＳ出力端子７３−１４、ＡＵＸ１出力端子７３−１５、およびＡＵＸ２出力端子７３−１６からなる１６個の出力端子を有している。そして、１６個の入力端子７２−１乃至７２−１６それぞれと、１６個の出力端子７３−１乃至７３−１６それぞれとの間には、２５６（＝１６2）個のスイッチ７１−（１，１）乃至７１−（１６，１６）がマトリクス状に設けられている。これらのスイッチ７１−（１，１）乃至７１−（１６，１６）は、例えば、通常はオフ状態になっており、ＣＰＵ６２からの制御にしたがってオン状態になるようになっている。マトリクススイッチ６１においては、入力端子に入力（受信）された信号は、その入力端子との間のスイッチがオン状態となっている出力端子だけから出力（送信）される。
【００６０】
ＣＰＵ６２は、マトリクススイッチ６１の各スイッチ７１−（ｉ，ｊ）（ｉ＝１，・・・，１６、ｊ＝１，・・・，１６）のオン／オフの状態を規定するデータ（以下、適宜、スイッチデータという）を、例えば、ＥＥＰＲＯＭなどでなるメモリ６３より読み出し、そのスイッチデータ、さらには必要に応じて、入力端子７２−１乃至７２−１６を介してマトリクススイッチ６１に入力される制御データにも対応して、マトリクススイッチ６１における各スイッチ７１−（ｉ，ｊ）を制御するようになされている。
【００６１】
即ち、メモリ６３には、ＣＮＵ１に接続されているＣＣＵ４−１乃至４−３（さらには、そのＣＣＵ４−１乃至４−３それぞれに接続されているビデオカメラ５−１乃至５−３）のうち、ＭＳＵ３または２３それぞれとの間で通信可能なＣＣＵを表す情報が、スイッチデータとして記憶されている。さらに、メモリ６３には、ＭＳＵ３または２３との間で通信可能なＣＣＵについては、ＭＳＵ３または２３それぞれが出力する制御データによって、その状態の変更（調整）が可能かどうかを表す情報も、スイッチデータとして記憶されている。
【００６２】
ここで、本実施の形態では、制御データには、ＣＣＵやビデオカメラにおける、例えば、コントラスト制御や、アイリス、マスタブラックなどの状態の変更を要求する変更制御データと、その状態の参照を要求する参照制御データとがある。
【００６３】
ＭＳＵ３または２３と、ＣＣＵ４−１乃至４−３のうちの、例えば、ＣＣＵ４−１とについてのスイッチデータが、その間の通信が可能でない（不可である）と設定されている場合、ＣＰＵ６２においては、例えば、ＭＳＵ３または２３からの変更制御データおよび参照制御データの両方とも、ＣＣＵ４−１に送信されないように、かつＣＣＵ４−１からの状態データが、ＭＳＵ３または２３に送信されないように、マトリクススイッチ６１が制御される。即ち、マトリクススイッチ６１における各スイッチ７１−（ｉ，ｊ）は、上述したように、通常はオフ状態となっているので、スイッチデータが通信不可と設定されている場合、ＣＰＵ６２は、そのスイッチデータに対応するスイッチをオフ状態のままとする。
【００６４】
また、スイッチデータが、ＭＳＵ３または２３と、ＣＣＵ４−１との間の通信が可能であると設定されており、さらに、状態の変更が可能であると設定されている場合、ＣＰＵ６２においては、ＭＳＵ３または２３からの変更制御データおよび参照制御データのいずれも、ＣＣＵ４−１に送信されるように、かつＣＣＵ４−１からの状態データが、ＭＳＵ３または２３に送信されるように、マトリクススイッチ６１が制御される。即ち、この場合、ＣＰＵ６２は、ＭＳＵ３または２３とＣＣＵ４−１との間に対応するスイッチを、ＭＳＵ３または２３から制御データが供給されたときと、ＣＣＵ４−１から状態データが供給されたときだけ、オフ状態からオン状態にする。
【００６５】
さらに、スイッチデータが、ＭＳＵ３または２３と、ＣＣＵ４−１との間の通信が可能であると設定されているが、状態の変更が可能でない（不可である）と設定されている場合、ＣＰＵ６２においては、ＭＳＵ３または２３からの変更制御データ若しくは参照制御データのうちの参照制御データだけが、ＣＣＵ４−１に送信されるように、かつＣＣＵ４−１からの状態データが、ＭＳＵ３または２３に送信されるように、マトリクススイッチ６１が制御される。
【００６６】
従って、本実施の形態では、ＣＮＵ１において、変更制御データおよび参照制御データの両方の送信を許可する場合、参照制御データだけの送信を許可する場合、およびいずれの制御データの送信も許可しない場合の３つの場合を設定することができ、このような３つの設定を、以下、適宜、制御レベルという。
【００６７】
メモリ６３は、マトリクススイッチ６１の各スイッチ７１−（ｉ，ｊ）の状態の制御に利用される、上述したようなスイッチデータを保持するようになされている。なお、スイッチデータは、後述するように、ＭＳＵ３（またはＭＳＵ２３）からの設定信号に基づいて、ＣＰＵ６２によってメモリ６３に書き込まれるようになされている。
【００６８】
ＲＯＭ６４は、ＣＰＵ６２に各種の処理を行わせるためのプログラムを記憶している。ＲＡＭ６５は、ＣＰＵ６２の動作上必要なデータを記憶するようになされている。キャラクタジェネレータ６６は、ＣＰＵ６２の制御の下、各種の画面に対応するビデオ信号を生成し、モニタ６（図１）に供給して表示させるようになされている。
【００６９】
なお、図６におけるＣＣＵ入力端子７２−１乃至７２−６およびＣＣＵ出力端子７３−１乃至７３−６が、図５におけるＣＣＵ端子７０−１乃至７０−６に、図６におけるＲＣＰ入力端子７２−７乃至７２−１２およびＲＣＰ出力端子７３−７乃至７３−１２が、図５におけるＲＣＰ端子７０−７乃至７０−１２に、図６におけるＭＳＵ入力端子７２−１３およびＭＳＵ出力端子７３−１３が、図５におけるＭＳＵ端子７０−１３に、図６におけるＶＣＳ入力端子７２−１４およびＶＣＳ出力端子７３−１４が、図５におけるＶＣＳ端子７０−１４に、図６におけるＡＵＸ１入力端子７２−１５およびＡＵＸ１出力端子７３−１５が、図６におけるＡＵＸ端子７０−１５に、図６におけるＡＵＸ２入力端子７２−１６およびＡＵＸ２出力端子７３−１６が、図５におけるＡＵＸ端子７０−１６に、それぞれ対応している。
【００７０】
次に、図７は、図１のＣＣＵ４−１の構成例を示している。なお、ＣＣＵ４−２および４−３、並びに２４−１乃至２４−５も同様に構成される。
【００７１】
ＣＰＵ８１には、ＣＮＵ１から制御データが供給されるようになされており、ＣＰＵ８１は、その制御データを受信するようになされている。そして、ＣＰＵ８１は、ＣＮＵ１から受信した制御データが、自身に接続されているビデオカメラ５−１宛のものである場合、その制御データを、ビデオカメラ５−１に送信する。また、ＣＰＵ８１は、ＣＮＵ１から受信した制御データが自身宛のものである場合、その制御データにしたがって、カラーコレクタ８２、コントラスト制御回路８３、またはサチュレーション制御回路８４におけるカラーコレクト、コントラスト、またはサチュレーションの調整量を変更する。そして、その変更後のカラーコレクト、コントラスト、またはサチュレーションの調整量を表す状態データを、ＣＮＵ１に送信する。あるいは、ＣＰＵ８１は、現在のカラーコレクト、コントラスト、またはサチュレーションの調整量を認識し、状態データとして、ＣＮＵ１に送信する。
【００７２】
また、ＣＰＵ８１には、ビデオカメラ５−１から状態データが供給されるようになされており、ＣＰＵ８１は、その状態データを受信し、ＣＮＵ１に送信するようにもなされている。
【００７３】
カラーコレクタ８２には、ビデオカメラ５−１が出力するビデオ信号が供給されるようになされており、そこでは、ＣＰＵ８１からの制御にしたがって、カラーコレクトが行われ、コントラスト制御回路８３に供給される。コントラスト制御回路８３では、カラーコレクタ８２からのビデオ信号のコントラストが、ＣＰＵ８１からの制御にしたがって調整され、サチュレーション制御回路８４に供給される。サチュレーション制御回路８４では、コントラスト制御回路８３からのビデオ信号についてのサチュレーションが、ＣＰＵ８１の制御にしたがって調整され、ＶＣＳ７−２および２７−２に供給される。
【００７４】
次に、図８は、図１のビデオカメラ５−１の構成例を示している。なお、ビデオカメラ５−２および５−３、並びに２５−１乃至２５−５も同様に構成される。
【００７５】
レンズブロック９１は、被写体からの光を、光電変換素子としての、例えば、ＣＣＤ（Charge Coupled Device）９４Ｒ，９４Ｇ，９４Ｂ上に集光する。即ち、レンズブロック９１からの光は、アイリス９２を介することにより、その光量が調整され、プリズム９３に入射する。プリズム９３では、アイリス９２を介して入射する光が、Ｒ（Red），Ｇ（Green），Ｂ（Blue）の３成分に分けられ、ＣＣＤ９４Ｒ，９４Ｇ，９４Ｂそれぞれに出射される。ＣＣＤ９４Ｒ，９４Ｇ，９４Ｂでは、Ｒ，Ｇ，Ｂ成分の光がそれぞれ光電変換され、これにより、電気信号とされる。
【００７６】
ＣＣＤ９４Ｒ，９４Ｇ，９４Ｂそれぞれにおいて得られるＲ，Ｇ，Ｂ成分の光の光電変換結果としてのＲ信号、Ｇ信号、Ｂ信号は、いずれも、アナログ信号処理部９５に供給される。アナログ信号処理部９５では、Ｒ信号、Ｇ信号、Ｂ信号について、ホワイトレベルの調整、その他のアナログ信号処理が施され、Ａ／Ｄ変換器９６Ｒ，９６Ｇ，９６Ｂにそれぞれ供給される。Ａ／Ｄ変換器９６Ｒ，９６Ｇ，９６Ｂでは、アナログ信号処理部９５からのアナログ信号であるＲ信号、Ｇ信号、Ｂ信号がＡ／Ｄ変換されることにより、それぞれ、ディジタルのＲ信号、Ｇ信号、Ｂ信号とされ、ＤＳＰ（Digital Signal Processor）９７に供給される。ＤＳＰ９７では、そこに供給されるＲ信号、Ｇ信号、Ｂ信号について、ブラックレベルの調整、その他のディジタル信号処理が施され、Ｄ／Ａ変換器９８Ｒ，９８Ｂ，９８Ｂにそれぞれ供給される。Ｄ／Ａ変換器９８Ｒ，９８Ｂ，９８Ｂでは、ディジタルのＲ信号、Ｇ信号、Ｂ信号が、それぞれＤ／Ａ変換され、その結果得られるアナログのＲ信号、Ｇ信号、Ｂ信号が、ＣＣＵ４−１（カラーコレクタ８２（図７））に供給される。
【００７７】
ＣＰＵ９９は、ＣＣＵ４−１を介して供給される制御データを受信し、その制御データにしたがって、アイリス９２における光量、アナログ信号処理部９５におけるホワイトレベル、またはＤＳＰ９７におけるブラックレベルの調整値を変更する。そして、変更後のアイリス、ホワイトレベル、またはブラックレベルの調整値を表す状態データを、ＣＣＵ４−１を介してＣＮＵ１に送信する。あるいは、ＣＰＵ９９は、現在のアイリス、ホワイトレベル、またはブラックレベルの調整値を認識し、状態データとして、ＣＣＵ４−１を介してＣＮＵ１に送信する。
【００７８】
次に、ＣＮＵ１（図６）におけるマトリクススイッチ６１の各スイッチ７１−（ｉ，ｊ）の設定について説明する。
【００７９】
マトリックススイッチ６１の設定を行う場合においては、まず最初に、ＭＳＵ３（図２、図３）における操作部４４を操作して、ＭＳＵ３のモニタ４２に、例えば、図９に示すメニュー画面を表示させる。
【００８０】
ここで、図９では、「CNU Configuration」の文字と、その右側に配置された終了（Exit）ボタン１００−１、並びにその下部に配置されたＲＣＰアサイン（RCP Assign）ボタン１００−２，ＭＳＵアサイン（MSU Assign）ボタン１００−３、およびＡＵＸアサイン（AUX Assign）ボタン１００−４とで、メニュー画面が構成されている。終了ボタン１００−１は、メニュー画面の表示を終了させるときに操作される。ＲＣＰアサインボタン１００−２は、ＲＣＰに割り当てるビデオカメラ（ＣＣＵ）を設定するときに操作される（上述したＲＣＰ２−１乃至２−３のうちのいずれを、ビデオカメラ５−１乃至５−３（ＣＣＵ４−１乃至４−３）のうちのいずれに割り当てるかは、このＲＣＰアサインボタン１００−２を操作して表示される画面において設定する）。ＭＳＵアサインボタン１００−３は、ＭＳＵに割り当てるビデオカメラ（ＣＣＵ）および制御レベルを設定する場合に操作される。ＡＵＸアサインボタン１００−４は、ＶＣＳ端子７０−１４，ＡＵＸ端子７０−１５および７０−１６（図５）に割り当てる機器を設定するときに操作される。
【００８１】
ＭＳＵ３に、それが制御するビデオカメラ（ＣＣＵ）を割り当て、さらに、その制御レベルを設定する場合には、メニュー画面上のＭＳＵアサインボタン１００−３を操作する。この場合、ＭＳＵ３（図３）では、制御回路４５において、ＭＳＵ３に割り当てるビデオカメラおよび制御レベルを設定するためのＭＳＵアサイン画面を表示するように、モニタ４２が制御され、これにより、モニタ４２には、例えば、図１０に示すようなＭＳＵアサイン画面が表示される。
【００８２】
図１０において、ＭＳＵアサイン画面には、図９の終了（exit）ボタン１００−１と同一機能の終了ボタン１０１−１の他に、操作ボタン１０１が表示されている。操作ボタン１０１は、セット（Set）ボタン１０１−２、キャンセル（Cancel）ボタン１０１−３、デフォルト（Default）ボタン１０１−４、カーソルキー１０１Ｕ，１０１Ｄ，１０１Ｌ、および１０１Ｒで構成されている。セットボタン１０１−２は、後述する図１１や図１２の画面などにおいて、カーソル１０３で選択されている（カーソル１０３が位置している）項目を確定するときに操作される。キャンセルボタン１０１−３は、確定した項目をキャンセルするときに操作される。デフォルトボタン１０１−４は、画面における選択項目を、あらかじめ設定されたデフォルトの項目にするときに操作される。カーソルキー１０１Ｕ，１０１Ｄ，１０１Ｌ、または１０１Ｒは、カーソル１０３を、上下左右それぞれに移動させるときに操作される。
【００８３】
制御回路４５は、モニタ４２にＭＳＵアサイン画面（図１０）を表示させるのと同時に、ＣＮＵ１を制御して、そこに接続されているモニタ６に、例えば、図１１に示すような、ＭＳＵ３の制御の範囲（ＭＳＵ３に割り当てるビデオカメラ）を規定するモードの選択の画面（以下、適宜、モード選択画面という）を表示させる。即ち、モード選択画面は、ＣＮＵ１（図６）において、ＣＰＵ６２が、制御回路４５からの制御にしたがって、キャラクタジェネレータ６６を制御することで、モニタ６に表示される。
【００８４】
ここで、モード選択画面において選択可能なモードには、スーパーバイザＭＳＵモードとローカルＭＳＵモードとがあり、１のＭＳＵで、１のＣＮＵに接続されたビデオカメラ（ＣＣＵ）だけを調整する場合（１のＭＳＵに、そのＭＳＵが直接接続されている１のＣＮＵに接続されたビデオカメラの制御を割り当てる場合）、具体的には、例えば、ＭＳＵ３でスタジオＡのビデオカメラ５−１乃至５−３だけを調整する場合には、ローカルＭＳＵモードを選択する。また、１のＭＳＵで、２以上のＣＮＵそれぞれに接続されたビデオカメラを調整する場合（１のＭＳＵに、そのＭＳＵが直接接続されているＣＮＵを含む複数のＣＮＵそれぞれに接続されたビデオカメラの制御を割り当てる場合）、具体的には、例えば、ＭＳＵ３でスタジオＡおよびスタジオＢのすべてのビデオカメラ５−１乃至５−３，２５−１乃至２５−５を調整する場合には、スーパーバイザＭＳＵモードを選択する。
【００８５】
即ち、ＭＳＵ３のモードをローカルＭＳＵモードとして、ＭＳＵ３によって、スタジオＡのビデオカメラ５−１乃至５−３だけを制御する場合には、カーソルキー１０１Ｕ，１０１Ｄ，１０１Ｌ、または１０１Ｒを操作することによって、モード選択画面（図１１）に表示されたカーソル１０３を、「LOCAL MSU mode」の文字の左に配置されたボタン１０２−２の位置に移動し、セットボタン１０１−２を操作する。この場合、ボタン１０２−２の表示が、図１１に示すように、「ON」の文字になり、ＭＳＵ３のモードがローカルＭＳＵモードとされる。
【００８６】
また、ＭＳＵ３のモードをスーパバイザＭＳＵモードとして、ＭＳＵ３によって、スタジオＡおよびスタジオＢのすべてのビデオカメラ５−１乃至５−３，２５−１乃至２５−５を制御する場合には、カーソルキー１０１Ｕ，１０１Ｄ，１０１Ｌ、または１０１Ｒを操作することによって、モード選択画面（図１１）に表示されたカーソル１０３を、「SUPERVISER MSU mode」の文字の左に配置されたボタン１０２−１の位置に移動し、セットボタン１０１−２を操作する。この場合、ボタン１０２−１の表示が、後述する図１３に示すように、「ON」の文字になり、ＭＳＵ３のモードがスーパバイザＭＳＵモードとされる。
【００８７】
ここで、スーパバイザＭＳＵモードが選択された場合、スイッチ１０２−１の表示は、上述したように、「ON」となるが、スイッチ１０２−２の表示は、「OFF」となる。同様に、ローカルＭＳＵモードが選択された場合、スイッチ１０２−２の表示は、「ON」となるが、スイッチ１０２−１の表示は、「OFF」となる。従って、図１１の実施の形態では、ローカルＭＳＵモードが選択された状態となっている。
【００８８】
なお、ＭＳＵ３と、ＣＮＵ１に接続されたモニタ６とは、近い位置に設置されており、これにより、ユーザは、例えば、モニタ６に表示されたモード選択画面上のカーソル１０３を、ＭＳＵ３のモニタ４２に表示されたＭＳＵアサイン画面上のカーソルキー１０１Ｕ，１０１Ｄ，１０１Ｌ、または１０１Ｒを操作することによって、所望の位置に、容易に移動させることができるようになっている。
【００８９】
ところで、本実施の形態では、ＣＮＵには、例えば、最大で２４台のビデオカメラ（ＣＣＵ）を接続することができるようになされており、このため、ＭＳＵに対するビデオカメラの割り当ても、２４台単位で行うようになされている。
【００９０】
即ち、図１１におけるモード選択画面においては、「1-24cam CAMERA SELECT/ACTIVE assignment」、「25-48cam CAMERA SELECT/ACTIVE assignment」、「49-72cam CAMERA SELECT/ACTIVE assignment」、「73-96cam CAMERA SELECT/ACTIVE assignment」の表示の左部分に、ボタン１０２−３乃至１０２−６がそれぞれ設けられており、ボタン１０２−３乃至１０２−６は、第１乃至第２４のビデオカメラ（１ＣＡＭ乃至２４ＣＡＭ）、第２５乃至４８のビデオカメラ（２５ＣＡＭ乃至４８ＣＡＭ）、第４９乃至第７２のビデオカメラ（４９ＣＡＭ乃至７２ＣＡＭ）、第７３乃至第９６のビデオカメラ（７３ＣＡＭ乃至９６ＣＡＭ）の制御レベルを設定するときに操作される。
【００９１】
ここで、上述したように、ＣＮＵ１には、２４台までのビデオカメラしか接続することができないから、ローカルＭＳＵモードにおいては、ＭＳＵ３に対して、やはり、最大で２４台のビデオカメラ、即ち、第１乃至第２４のビデオカメラしか割り当てることができない。従って、この場合、制御レベルの設定は、第１乃至第２４のビデオカメラについてだけしか行うことができず、第２５乃至第９６のビデオカメラについては行うことができないから、その旨を示すために、図１１のモード選択画面では、第１乃至第２４のビデオカメラに対応するボタン１０２−３の表示だけが「NEXT」になっており、残りのビデオカメラに対応するボタン１０２−４乃至１０２−６の表示が「・・・・・・・・」になっている。
【００９２】
ローカルＭＳＵモードにおいて、ＭＳＵ３に割り当てられるビデオカメラの制御レベルの設定を行う場合には、カーソルキー１０１Ｕ，１０１Ｄ，１０１Ｌ、または１０１Ｒを操作することによって、「NEXT」の文字が表示されているボタン１０２−２に、カーソル１０３を移動し、さらに、セットボタン１０１−２を操作する。
【００９３】
この場合、ＭＳＵ３の制御回路４５は、ＣＮＵ１を制御し、そこに接続されているモニタ６に、図１１のモード選択画面に代えて、例えば、図１２に示すような、第１乃至第２４のビデオカメラ（１ＣＡＭ乃至２４ＣＡＭ）の制御レベルを設定するための画面（以下、適宜、制御レベル設定画面という）を表示させる。なお、図１のＡＶ処理システムにおいては、スタジオＡに、３台のビデオカメラ５−１乃至５−３が設けられ、ＣＮＵ１に接続されているが、例えば、図１２に表示されている「１ＣＡＭ」乃至「３ＣＡＭ」が、これらのビデオカメラ５−１乃至５−３それぞれに対応している。
【００９４】
モニタ６に制御レベル設定画面を表示させた後は、ＭＳＵ３のモニタ４２に表示されている操作ボタン１０１（カーソルキー１０１Ｕ，１０１Ｄ，１０１Ｌ、または１０１Ｒ）を操作して、制御レベル設定画面におけるカーソル１０３を、制御レベルを設定するビデオカメラ（１ＣＡＭ乃至２４ＣＡＭのいずれか）に対応する項目に移動させる。
【００９５】
項目「Camera Select」にカーソル１０３が位置している状態で、ＭＳＵ３のモニタ４２に表示されているセットボタン１０１−２を操作すると、その操作が行われるごとに、項目「Camera Select」の表示色（項目「Active/Para」の表示色も同様）は、反転または非反転状態に交互に切り換わるようになされており、対応するビデオカメラに対する変更制御データおよび参照制御データの送信のいずれも許可しない場合には（従って、そのビデオカメラを、ＭＳＵ３によって制御させない場合）、項目「Camera Select」の表示色を反転させた状態にする。また、そのビデオカメラに対する、変更制御データまたは参照制御データの送信を許可する場合、項目「Camera Select」の表示色をそのままの状態（非反転の状態）にする。
【００９６】
項目「Camera Select」の表示色を反転させた状態にし、これにより、そのビデオカメラ（ＣＣＵ）に対する変更制御データおよび参照制御データの送信のいずれも許可しない制御レベルに設定した場合（そのビデオカメラの制御を、ＭＳＵ３によって行わないこととした場合）、そのビデオカメラについては、その後、特に設定を行う必要はない。
【００９７】
また、項目「Camera Select」の表示色を非反転の状態にし、これにより、そのビデオカメラに対する、変更制御データまたは参照制御データの送信を許可する場合には、カーソル１０３を、非反転の状態にした項目「Camera Select」と対になっている（の下部に配置されている）項目「Active/Para」に移動させる。
【００９８】
そして、そのビデオカメラ（ＣＣＵ）に対する参照制御データだけの送信を許可する場合、即ち、そのビデオカメラからの状態データの読み出しだけを許可し、状態の変更は許可しない制御レベルに設定する場合、項目「Active/Para」の表示色を反転させた状態にする。
【００９９】
また、そのビデオカメラ（ＣＣＵ）に対する変更制御データおよび参照制御データのいずれの送信も許可する場合、即ち、そのビデオカメラの状態の変更およびそこからの状態データの読み出しの両方を許可する制御レベルに設定する場合、項目「Active/Para」の表示色をそのまま（非反転）の状態にする。
【０１００】
例えば、ビデオカメラ５−１に対する変更制御データおよび参照制御データの送信のいずれも許可しない場合、「１ＣＡＭ」の項目「Camera Select」の表示色を、図１２に示すように反転させる。このようにすることにより、ＭＳＵ３によるビデオカメラ５−１に対する変更制御データおよび参照制御データの送信、即ち、ビデオカメラ５−１の状態の変更およびそこからの状態データの読み出しは、いずれも制限される。
【０１０１】
即ち、以上のような制御レベルの設定に対応する設定信号が、ＭＳＵ３から、ＣＮＵ１のＣＰＵ６２に供給され、ＣＰＵ６２では、その設定信号に対応して、ＭＳＵ３と、ビデオカメラ５−１に対応するＣＣＵ４−１との間のスイッチであるスイッチ７１−（１，１３）およびスイッチ７１−（１３，１）の状態をオフにするように（オン状態にしないように）、メモリ６３に記憶されているスイッチデータが書き換えられる。
【０１０２】
具体的には、例えば、ＭＳＵ３によって、状態の変更も、その参照もできないＡＶ機器として、ビデオカメラ５−１（ＣＣＵ４−１）がある旨が、スイッチデータとして、メモリ６３に登録される。
【０１０３】
このように設定されていると、ＭＳＵ３において、ビデオカメラ５−１が、上述したカメラセレクトボタン４４−３（図２）を操作することにより選択されても、ＭＳＵ３が出力する制御データは、ＣＮＵ１からＣＣＵ４−１に対して供給されない。
【０１０４】
以上のようにして、そのスタジオに配置されている各ビデオカメラの制御レベルを予め設定しておく。
【０１０５】
なお、図１２における項目「Active/Para」の「Para」の表示は、上述したパラモードを表す。
【０１０６】
図１１に戻り、ＭＳＵ３のモードとして、スーパバイザＭＳＵモードを選択する場合においては、「SUPERVISER MSU mode」の文字が表示された左の部分におけるボタン１０２−１に、カーソル１０３を移動させ、セットボタン１０１−２を操作する。この場合、図１３に示すように、モード選択画面においては、ボタン１０２−１の表示が「ON」となり、ボタン１０２−２の表示が「OFF」となる。
【０１０７】
さらに、この場合、スーパバイザＭＳＵモードが設定（選択）されたことに対応する設定信号が、ＭＳＵ３から、ＣＮＵ１のＣＰＵ６２に供給され、ＣＰＵ６２では、その設定信号に対応して、ＭＳＵ３と、他のスタジオＢのＣＮＵ２１が接続されているスイッチ７１−（１３，１５），７１−（１５，１３）の状態をオンにするように、メモリ６３に記憶されているスイッチデータが書き換えられる。
【０１０８】
即ち、スーパーバイザＭＳＵモードが選択されると、ＣＮＵ１とＣＮＵ２１が電気的に接続される。
【０１０９】
このように、ローカルＭＳＵモードと、スーパーバイザＭＳＵモードを切り換えることにより、ＭＳＵ３が制御することができるビデオカメラ（ＭＳＵ３に、制御を割り当てるビデオカメラ）を容易に変更することができる。
【０１１０】
なお、スタジオＢのＭＳＵ２３においてスーパバイザＭＳＵモードが選択された場合においても、ＣＮＵ１とＣＮＵ２１は電気的に接続される。
【０１１１】
スーパバイザＭＳＵモードを選択した場合、他のＣＮＵ２１に（ＣＣＵ２４−１乃至２４−５を介して）接続されているビデオカメラ２５−１乃至２５−５の制御レベルも、ローカルＭＳＵモードを選択した場合と同様に設定する。
【０１１２】
ここで、本実施の形態では、スーパバイザＭＳＵモードにおいては、１つのＭＳＵによって、最大で、他の３台のＣＮＵに接続されたビデオカメラまで、即ち、そのＭＳＵが直接接続されているＣＮＵを含めれば、合計で４台のＣＮＵに接続されたビデオカメラを制御することができるようになされている（例えば、ＭＳＵ３に、９６台のビデオカメラを割り当てることができる）。上述したように、１のＣＮＵには、２４台までのビデオカメラを接続することができるから、４つのＣＮＵには、最大で、第１乃至第２４、第２５乃至第４８、第４９乃至第７２、または第７３乃至第９６の２４台ずつの合計９６台のビデオカメラを接続することができる。従って、スーパバイザＭＳＵモードでは、ローカルＭＳＵモードにおける場合のように、第１乃至第２４のビデオカメラについてだけではなく、第２５乃至第９６のビデオカメラについても、制御レベルの設定を行うことがあるから、図１３に示した、スーパバイザＭＳＵモードが選択されたモード選択画面では、第１乃至第２４のビデオカメラに対応するボタン１０２−３の表示だけでなく、第２５乃至第４８、第４９乃至第７２、または第７３乃至第９６のビデオカメラそれぞれに対応するボタン１０２−４乃至１０２−６の表示も「NEXT」になっている。なお、ＣＮＵどうしの接続台数や、１のＣＮＵに接続可能なビデオカメラの台数等は、上述した値に限定されるものではない。
【０１１３】
この場合、図１３に示す画面の「25-48cam CAMERA SELECT・・・」という表示の左側のボタン１０２−４に、カーソル１０３を、ＭＳＵ３のモニタ４２に表示されたカーソルキー１０１Ｕ，１０１Ｄ，１０１Ｌ、または１０１Ｒを操作することにより移動させ、さらに、セットボタン１０１−２を操作することにより、図１２における場合と同様の、第２５乃至第４８のビデオカメラについての制御レベル設定画面を表示させる。そして、ローカルＭＳＵモードの場合と同様に、ビデオカメラ２５−１乃至２５−５（２５ＣＡＭ乃至２９ＣＡＭに対応する）の制御レベルの設定を行う。
【０１１４】
このようにして、他のＣＮＵ２１に接続されたビデオカメラ２５−１乃至２５−５についての制御レベルを設定すると、その設定に対応する設定信号が、ＭＳＵ３から、ＣＮＵ１を介して他のＣＮＵ２１のＣＰＵ６２に供給され、ＣＮＵ２１のＣＰＵ６２では、その設定信号に対応して、ＣＮＵ１と、ビデオカメラ２５−ｍ（ｍ＝１乃至５のいずれか）と対になっているＣＣＵ２４−ｍとの間のスイッチ７１−（ｉ，ｊ）の状態に関するスイッチデータが、ＣＮＵ２１のメモリ６３に書き込まれる。
【０１１５】
以上のようにして、選択したモード（ローカルＭＳＵモードまたはスーパバイザＭＳＵモード）に応じて、ＭＳＵ３に割り当てられるビデオカメラへの制御レベル（ここでは、ＡＶ機器の状態の変更およびその状態の取得の許可、状態の取得の許可、両方とも不許可のいずれか）の設定を行う。
【０１１６】
以上のような設定が行われた後、ＭＳＵ３の操作部４４（カメラセレクトボタン４４−３）が操作されることにより、制御対象となるビデオカメラ５−ｋ（ｋ＝１乃至３のいずれか）が選択され、さらに、操作部４４が操作されることにより、その選択されたビデオカメラ５−ｋに対する制御データが、制御回路４５からＣＮＵ１に供給されると、ＣＮＵ１では、ＣＰＵ６２において、予め設定した制御レベルに対応してスイッチ７１−（１３，ｋ）およびスイッチ７１−（ｋ，１３）の制御が行われる。
【０１１７】
また、スーパーバイザＭＳＵモードにおいて、他のＣＮＵ２１に（ＣＣＵ２４−１乃至２４−５を介して）接続されているビデオカメラ２５−１乃至２５−５のいずれかが選択され、その選択されたビデオカメラ２５−ｋ（ｋ＝１乃至５のいずれか）に対する制御データが、ＭＳＵ３の制御回路４５からＣＮＵ１に供給された場合には、ＣＮＵ１のＣＰＵ６２は、ＭＳＵ３からの制御データを、マトリクススイッチ６１を介して、そのままＣＮＵ２１に出力させる。そして、ＣＮＵ２１は、予め設定された制御レベルに対応してスイッチの制御を行う。
【０１１８】
次に、図１４は、ＭＳＵ３や２３が出力する制御データおよびＣＣＵ４−１乃至４−３，２４−１乃至２４−５やビデオカメラ５−１乃至５−３，２５−１乃至２５−５が出力する状態データのフォーマットを示している。この実施の形態では、制御データおよび状態データは、同一のフォーマットとされている。
【０１１９】
即ち、同図（Ａ）に示すように、制御データ（状態データも同様）は、大きく分けて、ヘッダ、フラグ、属性、パラメータ、チェックサムの５項目が、その先頭から順次配置されて構成されている。
【０１２０】
ヘッダは、宛先、データ長、送信元から構成されている。即ち、図１のＡＶ処理システムを構成する各機器には、ユニークなＩＤが割り当てられており、宛先には、制御データ（または状態データ）を送信する送信先の機器のＩＤが配置される。例えば、ＭＳＵには７０Ｈが、ＣＣＵには４０Ｈが、ビデオカメラには２０Ｈが、それぞれ割り当てられている（Ｈは、その前の数字が１６進数であることを表す）。データ長には、フラグの先頭からチェックサムの最後までのデータ長がバイト単位で配置される。送信元には、制御データ（または状態データ）を送信する送信元の機器のＩＤが配置される。
【０１２１】
フラグには、後述するパラメータに配置された値が、相対的な値であるのか、または絶対的な値であるのかを表す情報などが配置される。属性には、制御対象（例えば、ビデオカメラにおけるアイリスや、ホワイトバランスなど）を表す値が配置される。パラメータには、制御対象の調整値（例えば、ビデオカメラにおけるアイリスや、Ｒ信号のホワイトバランスの調整値など）が配置され、チェックサムには、制御データについて求められたチェックサムが配置される。
【０１２２】
上述したように、本実施の形態では、制御データと状態データとは同一フォーマットとされているが、その区別は、例えば、フラグによって行うことができるようになされている。即ち、本実施の形態では、パラメータには、状態の変更を行う場合においては、その変更分（現在の値からの増減量を示す相対的な値）が配置され、自身の状態を知らせる場合には、その状態の絶対的な値が配置されるようになされている。具体的には、例えば、ＭＳＵがビデオカメラのアイリスの調整値の変更を行う場合には、その調整値の変分に対応する値がパラメータとされ、ビデオカメラがアイリスの調整値をＭＳＵに知らせる場合には、その調整値そのものに対応する値がパラメータとされるようになされている。そして、パラメータに、相対的または絶対的な値が配置されるとき、フラグには、その旨の情報が配置されるから、フラグを参照することで、制御データと状態データとを区別することができる。
【０１２３】
また、本実施の形態では、制御データ（図１４（Ａ）に示すフォーマットのデータのうち、フラグが、パラメータに配置された値が相対的なものであることを示しているもの）を受信したＣＣＵやビデオカメラは、それに対するレスポンスとして、状態データ（図１４（Ａ）に示すフォーマットのデータのうち、フラグが、パラメータに配置された値が絶対的なものであることを示しているもの）を、その制御データを送信してきたＭＳＵに送信（返信）するようになされている。
【０１２４】
即ち、例えば、ＭＳＵにおいて、図１４（Ｂ）に示すような制御データ（変更制御データ）が、ビデオカメラに送信された場合、ビデオカメラでは、その制御データに対応した状態の変更が行われ、図１４（Ｃ）に示すような、その変更後の状態を表す状態データが返送される。
【０１２５】
ここで、図１４（Ｂ）において、宛先に配置された２０Ｈは、ビデオカメラのＩＤを、データ長に配置された０５Ｈは、フラグの先頭からチェックサムの最後までのバイト数を、送信元に配置された７０Ｈは、ＭＳＵのＩＤをそれぞれ示している。また、フラグに配置された２２Ｈは、パラメータがアナログの相対的な値であることを表し、属性に配置された０１Ｈは、アイリスを表している。従って、この制御データは、ＭＳＵを送信元として、ビデオカメラに送信され、その制御内容は、アイリスの調整値を、現在の値から、０００１Ｈだけ増加させることを要求するものとなっている。
【０１２６】
一方、図１４（Ｃ）において、宛先に配置された７０Ｈは、ＭＳＵのＩＤを、データ長に配置された０５Ｈは、フラグの先頭からチェックサムの最後までのバイト数を、送信元に配置された２０Ｈは、ビデオカメラのＩＤをそれぞれ示している。また、フラグに配置された２３Ｈは、パラメータがアナログの絶対的な値であることを表し、属性に配置された０１Ｈは、アイリスを表している。従って、この状態データは、ビデオカメラを送信元として、ＭＳＵに送信され、その内容は、アイリスの調整値が、０７０１Ｈであることを知らせるものとなっている。
【０１２７】
即ち、図１４（Ｂ）に示したような制御データを受信したビデオカメラでは、アイリスの調整値が、現在の値から、０００１Ｈだけ増加され、その増加後のアイリスの調整値０７０１Ｈが、制御データのパラメータ０００１Ｈに代えて配置される。さらに、制御データにおける宛先２０Ｈと送信元７０Ｈとが入れ替えられる。そして、フラグが、相対的な値を表す２２Ｈから絶対的な値を表す２３Ｈに変更され、それが、状態データとして送信される。
【０１２８】
なお、図１４の実施の形態では、アイリスの調整値が、元の値から、０００１Ｈだけ増加されることにより、０７０１Ｈとなっていることから、元の値は０７００Ｈであったことが分かる。
【０１２９】
ところで、本実施の形態では、上述したように、制御データにおけるパラメータは、相対的な値となっており、また、制御データを受信したビデオカメラやＣＣＵからは、状態データが返送されてくる。従って、結果として、パラメータの値が００００Ｈ以外の値になっている制御データは変更制御データとなり、パラメータの値が００００Ｈになっている制御データは参照制御データとなる。即ち、制御データを受信したビデオカメラやＣＣＵからは、現在の状態が、そのパラメータに対応する値だけ変化され、その変化後の状態に対応するパラメータが配置された状態データが送信されてくる。従って、制御データにおいて、パラメータの値が００００Ｈになっている場合には、現在の状態が０だけ変化され、その変化後の値、即ち、結果として、変化していない状態に対する値がパラメータに配置された状態データが返送されてくることになる。
【０１３０】
なお、図１４においては、パラメータは２バイトで、それ以外の部分は１バイトで表されているが、例えば、パラメータは、属性によって、そのデータ長が変化するようになされている（パラメータは可変長とされている）。
【０１３１】
次に、図１５および図１６のフローチャートを参照して、ＣＮＵ１の処理について、さらに説明する。
【０１３２】
まず、図１５を参照して、ＣＮＵ１（図６）が、制御データを受信した場合に行われる制御データの受信処理について説明する。
【０１３３】
例えば、ＭＳＵ３が、カメラセレクトボタン４４−３を操作することにより選択されているビデオカメラ５−ｋまたは２５−ｋ（あるいは、ＣＣＵ４−ｋまたは２４ーｋ）に対する制御データをＣＮＵ１に出力すると、その制御データは、マトリクススイッチ６１およびＣＰＵ６２において受信される。
【０１３４】
ＣＰＵ６２は、制御データを受信すると、ステップＳ１において、その制御データの宛先と送信元（ここでは、上述したようにＭＳＵ３）を抽出し、メモリ６３に記憶されたスイッチデータを参照する。そして、ステップＳ２に進み、ＣＰＵ６２は、ステップＳ１で抽出した送信元および宛先と、スイッチデータとを比較することで、その送信元から宛先への変更制御データの送信が可能とされているかどうか（送信元からの宛先の状態の変更が可能とされているかどうか）を判定する。
【０１３５】
ステップＳ２において、送信元から宛先への変更制御データの送信が可能とされていると判定された場合、ステップＳ３に進み、ＣＰＵ６２は、マトリクススイッチ６１を制御することにより、送信元に対応する端子から宛先に対応する端子に対して、制御データを出力させるためのスイッチをオンにし、処理を終了する。これにより、マトリクススイッチ６１に供給された制御データは、その宛先となっているＣＣＵまたはビデオカメラに送信（出力）される。
【０１３６】
即ち、この場合、制御データが、例えば、ビデオカメラ５−ｋ宛のものであれば、その制御データは、ビデオカメラ５−ｋと対になっているＣＣＵ４−ｋに出力され、さらに、そのＣＣＵ４−ｋを介して、ビデオカメラ５−ｋに出力される。
【０１３７】
なお、制御データが、例えば、ビデオカメラ２５−ｋ宛のものである場合、ＣＮＵ１では、その制御データは、ビデオカメラ２５−ｋ（ＣＣＵ２４−ｋ）が接続されているＣＮＵ２１に出力される。そして、ＣＮＵ２１は、この制御データを受信すると、図１５に示す制御データの受信処理を行う。なお、これは、ＭＳＵ３において、スーパバイザＭＳＵモードが設定され、ＭＳＵ３とＣＮＵ２１との間のスイッチ７１−（１３，１５）がオン状態にされる場合であり、ＭＳＵ３においてローカルＭＳＵモードが設定されている場合には、ＭＳＵ３とＣＮＵ２１との間のスイッチ７１−（１３，１５）はオフ状態にされるから、制御データは、ＣＮＵ１から２１に対して出力されない。
【０１３８】
一方、ステップＳ２において、送信元から宛先への変更制御データの送信が可能とされていないと判定された場合、ステップＳ４に進み、ＣＰＵ６２において、ステップＳ１で抽出した送信元および宛先と、スイッチデータとが比較されることで、その送信元から宛先への参照制御データの送信が可能とされているかどうか（送信元からの宛先の状態の参照が可能とされているかどうか）が判定される。
【０１３９】
ステップＳ４において、送信元から宛先への参照制御データの送信が可能とされていると判定された場合、ステップＳ５に進み、ＣＰＵ６２は、マトリクススイッチ６１を制御することにより、送信元に対応する端子から宛先に対応する端子に対して、制御データを出力させるためのスイッチをオンにする。さらに、ＣＰＵ６２は、マトリクススイッチ６１に供給された制御データにおけるパラメータが００００Ｈでない場合は、そのパラメータを００００Ｈに変更し、即ち、マトリクススイッチ６１に供給された制御データが変更制御データである場合には、それを参照制御データに変更し、その宛先となっているＣＣＵまたはビデオカメラに送信（出力）して、受信処理を終了する。
【０１４０】
即ち、送信元から宛先への参照制御データの送信が可能とされている場合には、送信されてきた制御データが参照制御データであれば、その制御データは、そのまま宛先へ送信され、また、送信されてきた制御データが変更制御データであれば、その制御データは、参照制御データに変更されて、宛先へ送信される。その結果、送信元から宛先への変更制御データの送信が可能とされておらず、参照制御データの送信だけが可能とされている場合には、実質的に、変更制御データの送信は制限される。
【０１４１】
なお、ステップＳ４では、送信元から宛先への参照制御データの送信が可能とされているかどうかを判定する前に、送信されてきた制御データが参照制御データかどうかを判定し、その制御データが、参照制御データでない場合、即ち、変更制御データである場合には、その制御データの送信を行わないようにすることも可能である。
【０１４２】
一方、ステップＳ４において、送信元から宛先への参照制御データの送信が可能とされていないと判定された場合、ＣＰＵ６２は、マトリクススイッチ６１を制御せずに処理を終了する。即ち、マトリクススイッチ６１を構成するスイッチ７１−（ｉ，ｊ）は、上述したように、ＣＰＵ６２に制御されたときだけオン状態になるようになされており、通常は、オフ状態になっている。従って、ＣＰＵ６２がマトリクススイッチ６１を制御しない場合においては、スイッチ７１−（ｉ，ｊ）はすべてオフ状態のままであり、マトリクススイッチ６１に供給された制御データの送信は行われない。
【０１４３】
以上のように、制御レベルにしたがってメモリ６３に記憶されたスイッチデータに応じて、制御データの宛先への送信が制御（制限）される。
【０１４４】
次に、ＣＮＵ１を介して送信された制御データを受信したビデオカメラやＣＣＵからは、上述したように、その制御データに対するレスポンスとして、状態データが、ＣＮＵ１に対して送信されてくるが、この状態データをＣＮＵ１が受信した場合に行われる状態データの受信処理について、図１６のフローチャートを参照して説明する。
【０１４５】
例えば、ＭＳＵ３が、カメラセレクトボタン４４−３を操作することにより選択されているビデオカメラ５−ｋまたは２５−ｋ（あるいは、ＣＣＵ４−ｋまたは２４ーｋ）に対して、制御データを、ＣＮＵ１を介して送信し、その制御データに対する応答としての状態データが、ＣＮＵ１に送信されてきたとする。この場合、その状態データは、図１５で説明した制御データにおける場合と同様に、マトリクススイッチ６１およびＣＰＵ６２において受信される。
【０１４６】
ＣＰＵ６２は、状態データを受信すると、ステップＳ２１において、その状態データから、宛先と送信元とを抽出し、抽出した宛先において、抽出した送信元が選択されているかどうかを判定する。即ち、いまの場合、宛先は、ＭＳＵ３になっており、送信元は、ビデオカメラ５−ｋまたは２５−ｋになっている（但し、送信元が、ビデオカメラ２５−ｋになっている場合には、ＭＳＵ３の動作モードがスーパバイザＭＳＵモードになっている必要がある）。従って、ステップＳ２１では、ＭＳＵ３において、送信元であるビデオカメラ５−ｋまたは２５−ｋが選択されているかどうかが判定される。
【０１４７】
ステップＳ２１において、送信元であるビデオカメラ５−ｋまたは２５−ｋが、ＭＳＵ３において選択されていないと判定された場合、即ち、カメラセレクトボタン４４−３を操作することにより、送信元であるビデオカメラ５−ｋまたは２５−ｋが選択されていない場合、ＣＰＵ６２はマトリクススイッチ６１を制御せずに、処理を終了する。この場合、上述したように、マトリクススイッチ６１を構成するすべてのスイッチ７１−（ｉ，ｊ）はオフ状態のままであるから、送信元であるビデオカメラ５−ｋまたは２５−ｋから送信されてきた状態データは、ＭＳＵ３に送信されない。
【０１４８】
ここで、状態データの送信元であるビデオカメラ５−ｋまたは２５−ｋが、ＭＳＵ３において選択されていない場合に、その状態データをＭＳＵ３に送信しないようにしたのは、次のような理由による。
【０１４９】
即ち、ビデオカメラは、例えば、電源投入直後などにおいて、オートセットアップを行い、そのセットアップ後の状態を知らせる状態データを、ＭＳＵ３が要求していないのにも拘らず、ＭＳＵ３に送信する場合がある。さらに、その他の場合においても、ビデオカメラは、ＭＳＵ３が要求していない状態データを、ＭＳＵ３宛に送信してくることがある。そして、状態データは、ＭＳＵ３において、後述するように表示されるから、ＭＳＵ３において選択されていないビデオカメラからの状態データを、ＭＳＵ３に送信することとすると、多数のビデオカメラから一斉に状態データが送信されてきたときに、ＭＳＵ３における表示が、その多くの状態データに対応して頻繁に変化し、ＭＳＵ３の操作者が、所望するビデオカメラの状態を把握することが困難になる。そこで、このようなことを防止するために、状態データの送信元であるビデオカメラ５−ｋまたは２５−ｋが、ＭＳＵ３において選択されていない場合に、その状態データをＭＳＵ３に送信しないようにしている。
【０１５０】
一方、ステップＳ２１において、送信元であるビデオカメラ５−ｋまたは２５−ｋが、ＭＳＵ３において選択されていると判定された場合、即ち、カメラセレクトボタン４４−３を操作することにより、送信元であるビデオカメラ５−ｋまたは２５−ｋが選択されている場合、ステップＳ２２に進み、ＣＰＵ６２において、宛先から送信元への制御データ（変更制御データおよび参照制御データの両方か、参照制御データだけ）の送信が許可されているかどうかが、メモリ６３に記憶されたスイッチデータを参照することで判定される。
【０１５１】
そして、ステップＳ２２において、宛先から送信元への制御データの送信が許可されていないと判定された場合、ＣＰＵ６２は、マトリクススイッチ６２を制御せずに、処理を終了する。即ち、ここでは、宛先から送信元への制御データの送信が許可されていない場合には、送信元から宛先への状態データの送信も許可されないようになっている。従って、例えば、ＭＳＵ３からビデオカメラ５−ｋまたは２５−ｋへの制御データの送信が許可されていない場合には、ビデオカメラ５−ｋまたは２５−ｋから送信されてきた状態データは、ＭＳＵ３を宛先とするものであっても、ＭＳＵ３には送信されない。但し、そのような場合であっても、状態データを、ＭＳＵ３に送信するようにすることも可能である。
【０１５２】
一方、ステップＳ２２において、宛先から送信元への制御データ（変更制御データおよび参照制御データの両方か、または参照制御データだけ）の送信が許可されていると判定された場合、ステップＳ２３に進み、ＣＰＵ６２は、マトリクススイッチ６２を制御し、これにより、送信元からの状態データを宛先に送信させ、処理を終了する。
【０１５３】
以上のようにして、ＣＮＵ１では、ビデオカメラ５−ｋまたは２５−ｋなどから送信されてきた状態データが、ＭＳＵ３などに送信される。
【０１５４】
なお、ＭＳＵ３（図２）は、状態データを受信すると、そのパラメータに対応する値を、例えば、アイリス表示部４４−６やマスタブラック表示部４４−８などに表示させる。
【０１５５】
以上のように、ＭＳＵ３（またはＭＳＵ２３）に、制御対象として割り当てるビデオカメラ（ＣＣＵ）を容易に変更することができ、即ち、スタジオＡに設置されたビデオカメラ５−１乃至５−３（およびＣＣＵ４−１乃至４−３）だけを制御対象とすることも、また、スタジオＡ並びにＢの両方に設置されているビデオカメラ５−１乃至５−３（およびＣＣＵ４−１乃至４−３）並びにビデオカメラ２５−１乃至２５−５（およびＣＣＵ２４−１乃至２４−５）すべてを制御対象とすることも、容易に行うことができ、さらに、その際、制御レベルを設定することができるので、ＭＳＵ３の操作性を向上させることができる。
【０１５６】
次に、図１７のフローチャートを参照して、ＣＣＵ４−１（あるいは、ＣＣＵ４−２，４−３，２４−１乃至２４−５）が制御データを受信した場合に行われる制御データの受信処理について説明する。
【０１５７】
なお、ここでは、ＣＣＵ４−１に対しては、ＣＣＵ４−１宛か、またはＣＣＵ４−１に接続されているビデオカメラ５−１宛の制御データが送信されてくるものとする。
【０１５８】
ＣＣＵ４−１（図７）においては、ＣＮＵ１から制御データが送信されてくると、その制御データが、ＣＰＵ８１によって受信される。そして、ＣＰＵ８１は、ステップＳ３１において、その制御データにおける宛先を参照し、その制御データが、自身当てのものかどうかを判定する。ステップＳ３１において、制御データが自身当てのものでないと判定された場合、即ち、制御データにおける宛先が、ビデオカメラのＩＤである２０Ｈであり、従って、ビデオカメラ宛のものである場合、ステップＳ３２に進み、ＣＰＵ８１は、受信した制御データを、自身に接続されているビデオカメラ（ここでは、ビデオカメラ５−１）に送信し、処理を終了する。
【０１５９】
また、ステップＳ３１において、制御データが自身宛のものであると判定された場合、即ち、制御データにおける宛先が、ＣＣＵのＩＤである４０Ｈである場合、ステップＳ３３に進み、制御データが、変更制御データであるかどうかが、ＣＰＵ８１によって判定される。ステップＳ３３において、制御データが変更制御データであると判定された場合、ステップＳ３４に進み、ＣＰＵ８１は、その変更制御データに対応して、ＣＣＵ４−１の状態を変更させる。即ち、ＣＰＵ８１は、カラーコレクタ８２、コントラスト制御回路８３、またはサチュレーション制御回路８４を制御することにより、カラーコレクト、コントラスト、またはサチュレーションの調整量を、変更制御データにおけるパラメータに対応する値だけ変化させる。
【０１６０】
そして、ステップＳ３５に進み、ＣＰＵ８１は、状態データを返送して処理を終了する。即ち、ＣＰＵ８１は、受信した変更制御データに対応して変化させた調整値を認識し、受信した変更制御データのパラメータとして配置する。さらに、ＣＰＵ８１は、受信した変更制御データの宛先と送信元とを入れ替え、フラグを、絶対的な値を表すものに変更するとともに、チェックサムを計算する。そして、ＣＰＵ８１は、以上のような変更を行った後の変更制御データを、状態データとして、ＣＮＵ１に送信する。
【０１６１】
一方、ステップＳ３３において、制御データが、変更制御データでないと判定された場合、即ち、制御データが参照制御データである場合、ステップＳ３４をスキップして、ステップＳ３５に進み、ＣＰＵ８１は、やはり、状態データを返送して処理を終了する。即ち、ＣＰＵ８１は、受信した参照制御データにおける属性に対応する調整値（例えば、現在のカラーコレクト、コントラスト、またはサチュレーションの調整値）を認識し、その参照制御データのパラメータとして配置する。さらに、ＣＰＵ８１は、受信した参照制御データの宛先と送信元とを入れ替え、フラグを、絶対的な値を表すものに変更するとともに、チェックサムを計算する。そして、ＣＰＵ８１は、以上のような変更を行った後の参照制御データを、状態データとして、ＣＮＵ１に送信する。
【０１６２】
次に、図１８のフローチャートを参照して、ビデオカメラ５−１（あるいは、ビデオカメラ５−２，５−３，２５−１乃至２５−５）が制御データを受信した場合に行われる制御データの受信処理について説明する。
【０１６３】
例えば、上述した図１７におけるステップＳ３２において、ＣＣＵ４−１からビデオカメラ５−１に対して、制御データが送信されてくると、ビデオカメラ５−１（図８）のＣＰＵ９９では、その制御データが受信される。そして、ステップＳ４１において、受信した制御データが、変更制御データであるかどうかが、ＣＰＵ９９によって判定される。ステップＳ４１において、制御データが変更制御データであると判定された場合、ステップＳ４２に進み、ＣＰＵ９９は、その変更制御データに対応して、ビデオカメラ５−１の状態を変更させる。即ち、ＣＰＵ９９は、アイリス９２、アナログ信号処理部９５、またはＤＳＰ９７を制御することにより、アイリス、ホワイトレベル、またはブラックレベルの調整値を、変更制御データにおけるパラメータに対応する値だけ変化させる。
【０１６４】
そして、ステップＳ４３に進み、ＣＰＵ９９は、状態データを返送して処理を終了する。即ち、ＣＰＵ９９は、受信した変更制御データに対応して変化させた、調整値を認識し、受信した変更制御データのパラメータとして配置する。さらに、ＣＰＵ９９は、受信した変更制御データの宛先と送信元とを入れ替え、フラグを、絶対的な値を表すものに変更するとともに、チェックサムを計算する。そして、ＣＰＵ９９は、以上のような変更を行った後の変更制御データを、状態データとして、ＣＮＵ１に送信する。
【０１６５】
一方、ステップＳ４１において、制御データが、変更制御データでないと判定された場合、即ち、制御データが参照制御データである場合、ステップＳ４２をスキップして、ステップＳ４３に進み、ＣＰＵ９９は、やはり、状態データを返送して処理を終了する。即ち、ＣＰＵ９９は、受信した参照制御データにおける属性に対応する調整値（例えば、現在のアイリス、ホワイトレベル、またはブラックレベルの調整値）を認識し、その参照制御データのパラメータとして配置する。さらに、ＣＰＵ９９は、受信した参照制御データの宛先と送信元とを入れ替え、フラグを、絶対的な値を表すものに変更するとともに、チェックサムを計算する。そして、ＣＰＵ９９は、以上のような変更を行った後の参照制御データを、状態データとして、ＣＮＵ１に送信する。
【０１６６】
なお、上記実施の形態においては、制御レベルは、状態の変更および状態データの取得の許可（変更制御データおよび参照制御データの送信可）、状態データの取得の許可（参照制御データのみの送信可）、両方とも不許可（変更制御データおよび参照制御データの送信不可）の３レベルとしたが、より多くの制御レベルを設定するようにしてもよい。
【０１６７】
また、上述の動作の説明においては、基本的に、ＣＮＵ１に接続されているＭＳＵ３が、ビデオカメラ５−１乃至５−３，２５−１乃至２５−５の制御を行う場合について説明しているが、ＲＣＰ２−１乃至２−３、さらにはＣＮＵ２１に接続されているＭＳＵ２３、およびＲＣＰ２２−１乃至２２−５も、同様に、ビデオカメラ５−１乃至５−３，２５−１乃至２５−５の制御を行うことができる。
【０１６８】
さらに、上述のＣＮＵ１，２１においては、マトリクススイッチ６１を利用して、入力端子と出力端子との接続関係を設定することとしたが、所謂コンピュータを利用してソフトウェア的に入出力の接続関係を設定するようにしてもよい。
【０１６９】
次に、図９に示したメニュー画面が、ＭＳＵ３のモニタ４２に表示されている場合において、例えば、ＡＵＸアサインボタン１００−４が操作されると、ＭＳＵ３の制御回路４５は、モニタ４２に、図９のメニュー画面に代えて、例えば、図１９に示すようなＡＵＸアサイン画面を表示させる。なお、ＡＵＸアサイン画面は、「MSU Assignment」の文字に代えて、「AUX Assignment」の文字が表示されている他は、図１０におけるＭＳＵアサイン画面と同様に構成される。
【０１７０】
さらに、制御回路４５は、モニタ４２にＡＵＸアサイン画面（図１９）を表示させるのと同時に、ＣＮＵ１を制御して、そこに接続されているモニタ６に、例えば、図２０に示すような、ＣＮＵ１に装着された拡張ボード１０（図５）におけるＶＣＳ端子７０−１４，ＡＵＸ端子７０−１５および７０−１６に割り当てる機器を設定するための画面（以下、適宜、機器設定画面という）を表示させる。
【０１７１】
ＶＣＳ１ボタン１０６−１，ＡＵＸ１ボタン１０６−２，ＡＵＸ２ボタン１０６−３は、ＣＮＵ１の背面パネルの上下２段のスロットのうちの上段に装着された拡張ボードにおけるＶＣＳ端子、２つのＡＵＸ端子それぞれに割り当てる機器を設定するときにそれぞれ操作される。従って、図５に示したように、ＣＮＵ１の上端のスロットに拡張ボード１０が装着されている場合には、ＶＣＳ端子７０−１４，ＡＵＸ端子７０−１５，７０−１６に割り当てる機器を設定するときに、ＶＣＳ１ボタン１０６−１，ＡＵＸ１ボタン１０６−２，ＡＵＸ２ボタン１０６−３がそれぞれ操作される。
【０１７２】
また、ＶＣＳ１ボタン１０６−４，ＡＵＸ１ボタン１０６−５，ＡＵＸ２ボタン１０６−６は、ＣＮＵ１の背面パネルの上下２段のスロットのうちの下段に、拡張ボード１０と同様の拡張ボードが装着された場合に、その拡張ボードにおけるＶＣＳ端子、２つのＡＵＸ端子それぞれに割り当てる機器を設定するときにそれぞれ操作される。
【０１７３】
なお、ＶＣＳ１ボタン１０６−１，ＡＵＸ１ボタン１０６−２，ＡＵＸ２ボタン１０６−３，ＶＣＳ１ボタン１０６−４，ＡＵＸ１ボタン１０６−５，ＡＵＸ２ボタン１０６−６の操作は、図１９に示すカーソルキー１０１Ｕ，１０１Ｄ，１０１Ｌ、または１０１Ｒを操作することにより、カーソル１０３を、対応するボタンの位置に移動し、セットボタン１０１−２を操作することで行われる。
【０１７４】
ＶＣＳ端子、２つのＡＵＸ端子それぞれに、機器を割り当てる際に設定する項目は、「func.」、「CAM no.」、「CTL by」の３つがあり、項目「func.」には、端子に接続する機器が設定される。また、項目「CAM no.」には、端子に接続された機器に接続されるビデオカメラの番号（この番号は、例えば、図１２における１ＣＡＭ，２ＣＡＭ，・・・に対応する）が設定される。さらに、項目「CTL by」には、端子に接続された機器をコントロールするＭＳＵが設定される。なお、図２０において、「all MSU」は、すべてのＭＳＵによってコントロールされることを意味し、「MSU1/2」は、ＭＳＵが２台ある場合において、その２台のうちの１台目によってコントロールされることを意味する。
【０１７５】
次に、図２１は、本発明を適用したＡＶ処理システムの第２実施の形態の構成例を示している。
【０１７６】
このＡＶ処理システムにおいては、図１のＡＶ処理システムにおける２台のＣＮＵ１，２１の代わりに、２つの拡張ボード１０−１，１０−２を有するＣＮＵ１１が利用されている。拡張ボード１０−１には、ＭＳＵ３およびＶＣＳ７−１の他、スタジオＡにおいて利用される、図２１においては図示せぬＲＣＰおよびＣＣＵが接続されている。一方、拡張ボード１０−２には、ＭＳＵ２３およびＶＣＳ７−１，２７−２，２７−３の他、スタジオＢにおいて利用される、図２１においては図示せぬＲＣＰおよびＣＣＵが接続されている。
【０１７７】
拡張ボード１０−１，１０−２は、上述のマトリクススイッチ６１、ＣＰＵ６２、および、メモリ６３をそれぞれ有している。そして、拡張ボード１０−１，１０−２は、ＣＰＵ６２どうしを介して接続されている。
【０１７８】
さらに、ＣＰＵ６２は、上述のモードの設定に対応して、他方のＣＰＵ６２との間の制御データの入出力を管理するようになされている。
【０１７９】
即ち、例えば、ＭＳＵ３がスーパーバイザＭＳＵモードに設定されている場合、制御データは、ＣＰＵ６２を介して、他方の拡張ボード１０−２のＣＰＵ６２に供給された後、マトリクススイッチ６１を介して、所定のＣＣＵに供給される。なお、このとき、拡張ボード１０−２のＣＰＵ６２は、予め設定されている制御レベル（メモリ６３に記憶されているスイッチデータ）に応じて、その制御データを、そのＣＣＵに出力する。
【０１８０】
同様に、ＭＳＵ２３が、スーパーバイザＭＳＵモードに設定されている場合、設定されている制御レベルに応じて、拡張ボード１０−１に接続されているＣＣＵを介してスタジオＡのビデオカメラの制御を行うことができる。
【０１８１】
このようにすることにより、１台のＣＮＵ１１で、図１のＡＶ処理システムと同様の処理を行うことができる。
【０１８２】
次に、図２２は、本発明を適用したＡＶ処理システムの第３実施の形態の構成例を示している。
【０１８３】
このＡＶ処理システムにおいては、３つのスタジオＡ，Ｂ，Ｃそれぞれに設けられたローカルＭＳＵ（ローカルＭＳＵモードに設定されたＭＳＵ）２３ａ，２３ｂ，２３ｃが、各スタジオの制御をそれぞれ行うとともに、コントロールルームに設けられたスーパーバイザＭＳＵ（スーパーバイザＭＳＵモードに設定されたＭＳＵ）３も、同時に、各スタジオの制御を行うことができるようになされている。
【０１８４】
なお、このＡＶ処理システムは、図２１のＡＶ処理システムを、カスケード接続したものである。即ち、スタジオＡのＣＮＵ１１ａの拡張ボード１０−１ａのＡＵＸ１端子と、スタジオＢのＣＮＵ１１ｂの拡張ボード１０−１ｂのＡＵＸ１端子とが接続され、スタジオＢのＣＮＵ１１ｂの拡張ボード１０−１ｂのＡＵＸ２端子と、スタジオＣのＣＮＵ１１ｃの拡張ボード１０−１ｃのＡＵＸ２端子とが接続されている。
【０１８５】
次に、図２２の実施の形態におけるビデオカメラの制御について説明する。
【０１８６】
スタジオＡのローカルＭＳＵ２３ａは、ＣＮＵ１１ａの拡張ボード１０−２ａに接続されているＣＣＵ（図示せず）を介して、スタジオＡのビデオカメラ（図示せず）の制御を行う。
【０１８７】
同様に、スタジオＢのローカルＭＳＵ２３ｂは、ＣＮＵ１１ｂの拡張ボード１０−２ｂに接続されているＣＣＵ（図示せず）を介して、スタジオＢのビデオカメラ（図示せず）の制御を行い、スタジオＣのローカルＭＳＵ２３ｃは、ＣＮＵ１１ｃの拡張ボード１０−２ｃに接続されているＣＣＵ（図示せず）を介して、スタジオＣのビデオカメラ（図示せず）の制御を行う。
【０１８８】
なお、ローカルＭＳＵ２３ａ，２３ｂ，２３ｃは、ローカルＭＳＵモードに設定されていることから、他のスタジオのビデオカメラを制御することはない。
【０１８９】
一方、コントロールルームのスーパーバイザＭＳＵ３は、スーパーバイザＭＳＵモードに設定されているので、スタジオＡ乃至Ｃのいずれのビデオカメラの制御を行うことができる。
【０１９０】
スタジオＡのビデオカメラの制御を行う場合、ＣＮＵ１１ａの拡張ボード１０−１ａおよび拡張ボード１０−２ａを介して、制御するビデオカメラに対応するＣＣＵに制御データを供給する。
【０１９１】
また、スタジオＢのビデオカメラの制御を行う場合、ＣＮＵ１１ａの拡張ボード１０−１ａ、並びに、ＣＮＵ１１ｂの拡張ボード１０−１ｂおよび拡張ボード１０−２ｂを介して、制御するビデオカメラに対応するＣＣＵに制御データを供給する。
【０１９２】
さらに、スタジオＣのビデオカメラの制御を行う場合、ＣＮＵ１１ａの拡張ボード１０−１ａ、ＣＮＵ１１ｂの拡張ボード１０−１ｂ、並びに、ＣＮＵ１１ｃの拡張ボード１０−１ｃおよび拡張ボード１０−２ｃを介して、制御するビデオカメラに対応するＣＣＵに制御データを供給する。
【０１９３】
以上のように、スーパーバイザＭＳＵ３およびローカルＭＳＵ２３ａ，２３ｂ，２３ｃを設けることにより、すべてのスタジオのビデオカメラに対する制御と、スタジオ毎のビデオカメラの制御を同時に行うことができる。
【０１９４】
なお、本実施の形態では、ＣＣＵやビデオカメラなどのＡＶ機器を制御対象の機器とするようにしたが、制御対象とする機器は、ＡＶ機器以外の電子機器であっても良い。
【０１９５】
【発明の効果】
請求項１に記載の中継装置および請求項６に記載の中継方法、並びに請求項７に記載の制御システムによれば、制御データに含まれる制御対象情報が抽出され、その制御対象情報に対応する電子機器の状態の変更が可能かどうかが判定される。そして、その判定結果に基づいて、制御データおよび状態データの送信が制御される。即ち、制御データには、制御情報として、電子機器の状態の変更を要求するための情報が配置された変更制御データと、電子機器の状態の参照を要求するための情報が配置された参照制御データとがあり、制御対象情報に対応する電子機器の状態の変更が可能であると判定された場合には、変更制御データおよび参照制御データのいずれも、制御対象情報に対応する電子機器に送信されるとともに、その電子機器から送信されてくる状態データが、制御データを送信してきた入力装置に送信される。一方、制御対象情報に対応する電子機器の状態の変更が可能でないと判定された場合には、変更制御データまたは参照制御データのうちの、参照制御データだけが、制御対象情報に対応する電子機器に送信されるとともに、その電子機器から送信されてくる状態データが、制御データを送信してきた入力装置に送信される。従って、複数の入力装置それぞれに対して、状態の変更が可能な電子機器と、そうでない電子機器（状態の参照だけが可能な電子機器）とを割り当てることが可能となる。
【図面の簡単な説明】
【図１】本発明を適用したＡＶ処理システムの第１実施の形態の構成例を示すブロック図である。
【図２】図１のＭＳＵ３および２３の正面パネルの構成例を示す平面図である。
【図３】図１のＭＳＵ３および２３の電気的構成例を示すブロック図である。
【図４】図１のＲＣＰ２−１乃至２−３および２２−１乃至２２−５の正面パネルの構成例を示す平面図である。
【図５】図１のＣＮＵ１並びに２１の正面パネルおよび背面パネルの構成例を示す平面図である。
【図６】図１のＣＮＵ１および２１の電気的構成例を示すブロック図である。
【図７】図１のＣＣＵ４−１乃至４−３および２４−１乃至２４−５の構成例を示すブロック図である。
【図８】図１のビデオカメラ５−１乃至５−３および２５−１乃至２５−５の構成例を示すブロック図である。
【図９】メニュー画面を示す図である。
【図１０】ＭＳＵアサイン画面を示す図である。
【図１１】モード選択画面を示す図である。
【図１２】制御レベル設定画面を示す図である。
【図１３】モード選択画面を示す図である。
【図１４】制御データおよび状態データのフォーマットを示す図である。
【図１５】制御データを受信した場合における、図６のＣＰＵ６２の処理を説明するためのフローチャートである。
【図１６】状態データを受信した場合における、図６のＣＰＵ６２の処理を説明するためのフローチャートである。
【図１７】制御データを受信した場合における、図７のＣＰＵ８１の処理を説明するためのフローチャートである。
【図１８】制御データを受信した場合における、図８のＣＰＵ９９の処理を説明するためのフローチャートである。
【図１９】ＡＵＸアサイン画面を示す図である。
【図２０】機器設定画面を示す図である。
【図２１】本発明を適用したＡＶ処理システムの第２実施の形態の構成例を示すブロック図である。
【図２２】本発明を適用したＡＶ処理システムの第３実施の形態の構成例を示すブロック図である。
【符号の説明】
１  カメラコマンドネットワークユニット（ＣＮＵ），  ２−１乃至２−３  リモートコントロールパネル（ＲＣＰ），  ３  マスタセットアップユニット（ＭＳＵ），  ４−１乃至４−３  カメラコントロールユニット（ＣＣＵ），  ５−１乃至５−３  ビデオカメラ，  １１，２１  ＣＮＵ，  ２２−１乃至２２−５  ＲＣＰ，  ２３  ＭＳＵ，  ２４−１乃至２４−５  ＣＣＵ，  ２５−１乃至２５−５  ビデオカメラ，  ６１  マトリクススイッチ，  ６２  ＣＰＵ，  ６３  メモリ
【図１】
0004000428.tif 000002
【図２】
0004000428.tif 000003
【図３】
0004000428.tif 000004
【図４】
0004000428.tif 000005
【図５】
0004000428.tif 000006
【図６】
0004000428.tif 000007
【図７】
0004000428.tif 000008
【図８】
0004000428.tif 000009
【図９】
0004000428.tif 000010
【図１０】
0004000428.tif 000011
【図１１】
0004000428.tif 000012
【図１２】
0004000428.tif 000013
【図１３】
0004000428.tif 000014
【図１４】
0004000428.tif 000015
【図１５】
0004000428.tif 000016
【図１６】
0004000428.tif 000017
【図１７】
0004000428.tif 000018
【図１８】
0004000428.tif 000019
【図１９】
0004000428.tif 000020
【図２０】
0004000428.tif 000021
【図２１】
0004000428.tif 000022
【図２２】
0004000428.tif 000023